(57)【要約】  本発明では、無線通信システムにおける端末と基地局の間の物理上りリンク制御チャネルの送受信方法及びそれをサポートする装置を開示する。【選択図】  図２１
2019528597.tif 000002
【特許請求の範囲】
【請求項１】
無線通信システムにおける端末の上りリンク制御信号の伝送方法であって、
４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を基地局から受信することと、
前記ＰＵＣＣＨのシンボルの長さ及び周波数ホッピングの有無によって前記ＰＵＣＣＨに含まれ、互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）のリソース位置を決定することと、
前記決定されたＤＭ−ＲＳ及びＵＣＩのリソース位置を通じて前記ＰＵＣＣＨを伝送することと、を含み、
前記ＰＵＣＣＨのシンボルの長さがＸ個（但し、Ｘは自然数）のシンボルの長さ以下である場合、前記ＤＭ−ＲＳ及びＵＣＩがマッピングされるリソース位置は周波数ホッピングの有無によって異なるように設定され、
前記ＰＵＣＣＨのシンボルの長さがＸ個（但し、Ｘは自然数）のシンボルの長さを超える場合、前記ＤＭ−ＲＳ及びＵＣＩがマッピングされるリソース位置は周波数ホッピングの有無に関係なく同一に設定される、端末の上りリンク制御信号の伝送方法。
【請求項２】
前記Ｘは４である、請求項１に記載の端末の上りリンク制御信号の伝送方法。
【請求項３】
前記ＰＵＣＣＨのシンボルの長さが４つのシンボルの長さである場合、
周波数ホッピングの有無によって前記ＤＭ−ＲＳがマッピングされるシンボルの数が異なる、請求項２に記載の端末の上りリンク制御信号の伝送方法。
【請求項４】
前記ＰＵＣＣＨのシンボルの長さが４つのシンボルの長さである場合、
周波数ホッピングが設定されると、前記ＰＵＣＣＨ内のＤＭ−ＲＳのリソース位置は１番目及び３番目のシンボルに決定され、
周波数ホッピングが設定されないと、前記ＰＵＣＣＨ内のＤＭ−ＲＳのリソース位置は２番目のシンボルに決定される、請求項３に記載の端末の上りリンク制御信号の伝送方法。
【請求項５】
前記ＰＵＣＣＨのシンボルの長さが４つのシンボルの長さを超える場合、
周波数ホッピングの有無に関係なく前記ＰＵＣＣＨ内のＤＭ−ＲＳは２つのシンボルにマッピングされる、請求項２に記載の端末の上りリンク制御信号の伝送方法。
【請求項６】
前記ＰＵＣＣＨのシンボルの長さが５つのシンボルの長さである場合、
周波数ホッピングの有無に関係なく前記ＰＵＣＣＨ内のＤＭ−ＲＳのリソース位置は１番目及び４番目のシンボルに決定される、請求項２に記載の端末の上りリンク制御信号の伝送方法。
【請求項７】
前記ＰＵＣＣＨのシンボルの長さが６つ又は７つのシンボルの長さである場合、
周波数ホッピングの有無に関係なく前記ＰＵＣＣＨ内のＤＭ−ＲＳのリソース位置は２番目及び５番目のシンボルに決定される、請求項２に記載の端末の上りリンク制御信号の伝送方法。
【請求項８】
前記ＰＵＣＣＨのシンボルの長さが８つのシンボルの長さである場合、
周波数ホッピングの有無に関係なく前記ＰＵＣＣＨ内のＤＭ−ＲＳのリソース位置は２番目及び６番目のシンボルに決定される、請求項２に記載の端末の上りリンク制御信号の伝送方法。
【請求項９】
前記ＰＵＣＣＨのシンボルの長さが９つのシンボルの長さである場合、
周波数ホッピングの有無に関係なく前記ＰＵＣＣＨ内のＤＭ−ＲＳのリソース位置は２番目及び７番目のシンボルに決定される、請求項２に記載の端末の上りリンク制御信号の伝送方法。
【請求項１０】
前記ＰＵＣＣＨのシンボルの長さが１０個のシンボルの長さである場合、
周波数ホッピングの有無に関係なく前記ＰＵＣＣＨ内のＤＭ−ＲＳのリソース位置は３番目及び８番目のシンボルに決定される、又は、
周波数ホッピングの有無に関係なく前記ＰＵＣＣＨ内のＤＭ−ＲＳのリソース位置は２番目、４番目、７番目及び９番目のシンボルに決定される、請求項２に記載の端末の上りリンク制御信号の伝送方法。
【請求項１１】
前記ＰＵＣＣＨのシンボルの長さが１１個のシンボルの長さである場合、
周波数ホッピングの有無に関係なく前記ＰＵＣＣＨ内のＤＭ−ＲＳのリソース位置は３番目及び８番目のシンボルに決定される、又は、
周波数ホッピングの有無に関係なく前記ＰＵＣＣＨ内のＤＭ−ＲＳのリソース位置は２番目、４番目、７番目及び３番目、１０番目のシンボルに決定される、請求項２に記載の端末の上りリンク制御信号の伝送方法。
【請求項１２】
前記ＰＵＣＣＨのシンボルの長さが１２個のシンボルの長さである場合、
周波数ホッピングの有無に関係なく前記ＰＵＣＣＨ内のＤＭ−ＲＳのリソース位置は３番目及び９番目のシンボルに決定される、又は、
周波数ホッピングの有無に関係なく前記ＰＵＣＣＨ内のＤＭ−ＲＳのリソース位置は２番目、５番目、８番目及び１１番目のシンボルに決定される、請求項２に記載の端末の上りリンク制御信号の伝送方法。
【請求項１３】
前記ＰＵＣＣＨのシンボルの長さが１３個のシンボルの長さである場合、
周波数ホッピングの有無に関係なく前記ＰＵＣＣＨ内のＤＭ−ＲＳのリソース位置は３番目及び１０番目のシンボルに決定される、又は、
周波数ホッピングの有無に関係なくＰＵＣＣＨ内のＤＭ−ＲＳのリソース位置は２番目、５番目、８番目及び１２番目のシンボルに決定される、請求項２に記載の端末の上りリンク制御信号の伝送方法。
【請求項１４】
前記ＰＵＣＣＨのシンボルの長さが１４個のシンボルの長さである場合、
周波数ホッピングの有無に関係なく前記ＰＵＣＣＨ内のＤＭ−ＲＳのリソース位置は４番目及び１１番目のシンボルに決定される、又は、
周波数ホッピングの有無に関係なく前記ＰＵＣＣＨ内のＤＭ−ＲＳのリソース位置は２番目、６番目、９番目及び１３番目のシンボルに決定される、請求項２に記載の端末の上りリンク制御信号の伝送方法。
【請求項１５】
無線通信システムにおける基地局の上りリンク制御信号の受信方法であって、
４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を端末に伝送することと、
前記端末から前記ＰＵＣＣＨのシンボルの長さ及び周波数ホッピングの有無によって互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）が含まれた前記ＰＵＣＣＨを受信することと、を含み、
前記ＰＵＣＣＨのシンボルの長さがＸ個（但し、Ｘは自然数）シンボルの長さ以下である場合、前記ＤＭ−ＲＳ及びＵＣＩがマッピングされるリソース位置は周波数ホッピングの有無によって異なるように設定され、
前記ＰＵＣＣＨのシンボルの長さがＸ個（但し、Ｘは自然数）シンボルの長さを超える場合、前記ＤＭ−ＲＳ及びＵＣＩがマッピングされるリソース位置は周波数ホッピングの有無に関係なく同一に設定される、基地局の上りリンク制御信号の受信方法。
【請求項１６】
無線通信システムにおいて基地局に物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）を伝送する端末であって、
送信部と、
受信部と、
前記送信部及び受信部に連結されて動作するプロセッサと、を含み、
前記プロセッサは、
４つ以上のシンボルで構成されたＰＵＣＣＨの伝送のための周波数ホッピングの有無に関する設定情報を前記基地局から受信し、
前記ＰＵＣＣＨのシンボルの長さ及び周波数ホッピングの有無によって前記ＰＵＣＣＨに含まれ、互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）のリソース位置を決定し、
前記決定されたＤＭ−ＲＳ及びＵＣＩのリソース位置を通じて前記ＰＵＣＣＨを伝送するように構成され、
前記ＰＵＣＣＨのシンボルの長さがＸ個（但し、Ｘは自然数）シンボルの長さ以下である場合、前記ＤＭ−ＲＳ及びＵＣＩがマッピングされるリソース位置は周波数ホッピングの有無によって異なるように設定され、
前記ＰＵＣＣＨのシンボルの長さがＸ個（但し、Ｘは自然数）シンボルの長さを超える場合、前記ＤＭ−ＲＳ及びＵＣＩがマッピングされるリソース位置は周波数ホッピングの有無に関係なく同一に設定される、端末。
【請求項１７】
無線通信システムにおいて端末から物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）を受信する基地局であって、
送信部と、
受信部と、
前記送信部及び受信部に連結されて動作するプロセッサと、を含み、
前記プロセッサは、
４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を端末に伝送し、
前記端末から前記ＰＵＣＣＨのシンボルの長さ及び周波数ホッピングの有無によって互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）が含まれた前記ＰＵＣＣＨを受信するように構成され、
前記ＰＵＣＣＨのシンボルの長さがＸ個（但し、Ｘは自然数）シンボルの長さ以下である場合、前記ＤＭ−ＲＳ及びＵＣＩがマッピングされるリソース位置は周波数ホッピングの有無によって異なるように設定され、
前記ＰＵＣＣＨのシンボルの長さがＸ個（但し、Ｘは自然数）シンボルの長さを超える場合、前記ＤＭ−ＲＳ及びＵＣＩがマッピングされるリソース位置は周波数ホッピングの有無に関係なく同一に設定される、基地局。
【発明の詳細な説明】
【技術分野】
【０００１】
本発明は無線通信システムに関し、より具体的には、無線通信システムにおいて端末と基地局の間の物理上りリンク制御チャネルを送受信する方法及びそれをサポートする装置に関する。
【背景技術】
【０００２】
無線接続システムが音声やデータなどの種々の通信サービスを提供するために広範囲に展開されている。一般に、無線接続システムは利用可能なシステムリソース（帯域幅、送信電力など）を共有して複数のユーザとの通信をサポートできる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及び物を連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性及び遅延などに敏感なサービス／ＵＥを考慮した通信システムのデザインも考えられている。
【０００４】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００５】
本発明の目的は、無線通信システムにおいて端末と基地局の間の物理上りリンク制御チャネルを送受信する方法及びそれをサポートする装置を提供することにある。
【０００６】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００７】
本発明は、無線通信システムにおいて端末と基地局の間の物理上りリンク制御チャネルを送受信する方法及びそのための装置を提供する。
【０００８】
本発明の一態様では、無線通信システムにおける端末の上りリンク制御信号の伝送方法であって、４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を基地局から受信することと、ＰＵＣＣＨのシンボルの長さ及び周波数ホッピングの有無によってＰＵＣＣＨに含まれ、互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）のリソース位置を決定することと、決定されたＤＭ−ＲＳ及びＵＣＩのリソース位置を通じてＰＵＣＣＨを伝送することと、を含み、ＰＵＣＣＨのシンボルの長さがＸ個（但し、Ｘは自然数）シンボルの長さ以下である場合、ＤＭ−ＲＳ及びＵＣＩがマッピングされるリソース位置は周波数ホッピングの有無によって異なるように設定され、ＰＵＣＣＨのシンボルの長さがＸ個（但し、Ｘは自然数）シンボルの長さを超える場合、ＤＭ−ＲＳ及びＵＣＩがマッピングされるリソース位置は周波数ホッピングの有無に関係なく同一に設定される、端末の上りリンク制御信号の伝送方法を提案している。
【０００９】
本発明の他の態様では、無線通信システムにおける基地局の上りリンク制御信号の受信方法であって、４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を端末に伝送することと、端末からＰＵＣＣＨのシンボルの長さ及び周波数ホッピングの有無によって互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）が含まれたＰＵＣＣＨを受信することと、を含み、ＰＵＣＣＨのシンボルの長さがＸ個（但し、Ｘは自然数）シンボルの長さ以下である場合、ＤＭ−ＲＳ及びＵＣＩがマッピングされるリソース位置は周波数ホッピングの有無によって異なるように設定され、ＰＵＣＣＨのシンボルの長さがＸ個（但し、Ｘは自然数）シンボルの長さを超える場合、ＤＭ−ＲＳ及びＵＣＩがマッピングされるリソース位置は周波数ホッピングの有無に関係なく同一に設定される、基地局の上りリンク制御信号の受信方法を提案している。
【００１０】
本発明のさらに他の態様では、無線通信システムにおいて基地局に物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）を伝送する端末であって、送信部と、受信部と、送信部及び受信部に連結されて動作するプロセッサと、を含み、プロセッサは、４つ以上のシンボルで構成されたＰＵＣＣＨの伝送のための周波数ホッピングの有無に関する設定情報を基地局から受信し、ＰＵＣＣＨのシンボルの長さ及び周波数ホッピングの有無によってＰＵＣＣＨに含まれ、互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）のリソース位置を決定し、決定されたＤＭ−ＲＳ及びＵＣＩのリソース位置を通じてＰＵＣＣＨを伝送するように構成される端末を提案している。ここで、ＰＵＣＣＨのシンボルの長さがＸ個（但し、Ｘは自然数）シンボルの長さ以下である場合、ＤＭ−ＲＳ及びＵＣＩがマッピングされるリソース位置は周波数ホッピングの有無によって異なるように設定され、ＰＵＣＣＨのシンボルの長さがＸ個（但し、Ｘは自然数）シンボルの長さを超える場合、ＤＭ−ＲＳ及びＵＣＩがマッピングされるリソース位置は周波数ホッピングの有無に関係なく同一に設定される。
【００１１】
本発明のさらに他の態様では、無線通信システムにおいて端末から物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）を受信する基地局であって、送信部と、受信部と、送信部及び受信部に連結されて動作するプロセッサと、を含み、プロセッサは、４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を端末に伝送し、端末からＰＵＣＣＨのシンボルの長さ及び周波数ホッピングの有無によって互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）が含まれたＰＵＣＣＨを受信するように構成される基地局を提案している。ここで、ＰＵＣＣＨのシンボルの長さがＸ個（但し、Ｘは自然数）シンボルの長さ以下である場合、ＤＭ−ＲＳ及びＵＣＩがマッピングされるリソース位置は周波数ホッピングの有無によって異なるように設定され、ＰＵＣＣＨのシンボルの長さがＸ個（但し、Ｘは自然数）シンボルの長さを超える場合、ＤＭ−ＲＳ及びＵＣＩがマッピングされるリソース位置は周波数ホッピングの有無に関係なく同一に設定される。
【００１２】
上記構成において、Ｘは４と設定されることができる。
【００１３】
これにより、ＰＵＣＣＨのシンボルの長さが４つのシンボルの長さである場合、周波数ホッピングの有無によってＤＭ−ＲＳがマッピングされるシンボルの数が異なる。
【００１４】
より具体的には、ＰＵＣＣＨのシンボルの長さが４つのシンボルの長さである場合、周波数ホッピングが設定されると、ＰＵＣＣＨ内のＤＭ−ＲＳのリソース位置は１番目及び３番目のシンボルに決定され、周波数ホッピングが設定されないと、ＰＵＣＣＨ内のＤＭ−ＲＳのリソース位置は２番目のシンボルに決定される。
【００１５】
他の例において、ＰＵＣＣＨのシンボルの長さが４つのシンボルの長さを超える場合、周波数ホッピングの有無に関係なくＰＵＣＣＨ内のＤＭ−ＲＳは２つのシンボルにマッピングされる。
【００１６】
一例において、ＰＵＣＣＨのシンボルの長さが５つのシンボルの長さである場合、周波数ホッピングの有無に関係なくＰＵＣＣＨ内のＤＭ−ＲＳのリソース位置は１番目及び４番目のシンボルに決定される。
【００１７】
他の例において、ＰＵＣＣＨのシンボルの長さが６つ又は７つのシンボルの長さである場合、周波数ホッピングの有無に関係なくＰＵＣＣＨ内のＤＭ−ＲＳのリソース位置は２番目及び５番目のシンボルに決定される。
【００１８】
さらに他の例において、ＰＵＣＣＨのシンボルの長さが８つのシンボルの長さである場合、周波数ホッピングの有無に関係なくＰＵＣＣＨ内のＤＭ−ＲＳのリソース位置は２番目及び６番目のシンボルに決定される。
【００１９】
さらに他の例において、ＰＵＣＣＨのシンボルの長さが９つのシンボルの長さである場合、周波数ホッピングの有無に関係なくＰＵＣＣＨ内のＤＭ−ＲＳのリソース位置は２番目及び７番目のシンボルに決定される。
【００２０】
さらに他の例において、ＰＵＣＣＨのシンボルの長さが１０個のシンボルの長さである場合、周波数ホッピングの有無に関係なくＰＵＣＣＨ内のＤＭ−ＲＳのリソース位置は３番目及び８番目のシンボルに決定される、又は、周波数ホッピングの有無に関係なくＰＵＣＣＨ内のＤＭ−ＲＳのリソース位置は２番目、４番目、７番目及び９番目のシンボルに決定される。
【００２１】
さらに他の例において、ＰＵＣＣＨのシンボルの長さが１１個のシンボルの長さである場合、周波数ホッピングの有無に関係なくＰＵＣＣＨ内のＤＭ−ＲＳのリソース位置は３番目及び８番目のシンボルに決定される、又は、周波数ホッピングの有無に関係なくＰＵＣＣＨ内のＤＭ−ＲＳのリソース位置は２番目、４番目、７番目及び３番目、１０番目のシンボルに決定される。
【００２２】
さらに他の例において、ＰＵＣＣＨのシンボルの長さが１２個のシンボルの長さである場合、周波数ホッピングの有無に関係なくＰＵＣＣＨ内のＤＭ−ＲＳのリソース位置は３番目及び９番目のシンボルに決定される、又は、周波数ホッピングの有無に関係なくＰＵＣＣＨ内のＤＭ−ＲＳのリソース位置は２番目、５番目、８番目及び１１番目のシンボルに決定される。
【００２３】
さらに他の例において、ＰＵＣＣＨのシンボルの長さが１３個のシンボルの長さである場合、周波数ホッピングの有無に関係なくＰＵＣＣＨ内のＤＭ−ＲＳのリソース位置は３番目及び１０番目のシンボルに決定される、又は、周波数ホッピングの有無に関係なくＰＵＣＣＨ内のＤＭ−ＲＳのリソース位置は２番目、５番目、８番目及び１２番目のシンボルに決定される。
【００２４】
さらに他の例において、ＰＵＣＣＨのシンボルの長さが１４個のシンボルの長さである場合、周波数ホッピングの有無に関係なくＰＵＣＣＨ内のＤＭ−ＲＳのリソース位置は４番目及び１１番目のシンボルに決定される、又は、周波数ホッピングの有無に関係なくＰＵＣＣＨ内のＤＭ−ＲＳのリソース位置は２番目、６番目、９番目及び１３番目のシンボルに決定される。
【００２５】
上述した本発明の様態は、本発明の好適な実施例の一部に過ぎず、本願発明の技術的特徴が反映された様々な実施例が、当該技術の分野における通常の知識を有する者によって、以下に詳述する本発明の詳細な説明に基づいて導出され理解され得るだろう。
【発明の効果】
【００２６】
本発明の実施例によれば、次のような効果がある。
【００２７】
本発明によれば、本発明が適用可能な無線通信システムにおいて上りリンク制御情報を効果的に送受信することができる。
【００２８】
特に、本発明の実施例による物理上りリンク制御チャネルの構造によれば、端末及び基地局は従来に比べて効率的に上りリンク制御情報を送受信することができる。
【００２９】
本発明の実施例から得られる効果は、以上で言及した効果に限定されず、言及していない別の効果は、以下の本発明の実施例に関する記載から、本発明の属する技術の分野における通常の知識を有する者に明確に導出され理解されるであろう。すなわち、本発明を実施することに伴う意図していない効果も、本発明の実施例から当該技術の分野における通常の知識を有する者によって導出され得る。
【図面の簡単な説明】
【００３０】
以下に添付する図面は、本発明に関する理解を助けるためのものであり、詳細な説明と共に本発明に関する実施例を提供する。ただし、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素の代表的な連結方式を示す図である。
【図８】ＴＸＲＵとアンテナ要素の代表的な連結方式を示す図である。
【図９】本発明の一例によるＴＸＲＵ及び物理的アンテナの観点におけるハイブリッドビーム形成の構造を簡単に示す図である。
【図１０】本発明の一例による下りリンク（Ｄｏｗｎｌｉｎｋ、ＤＬ）の伝送過程における、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビーム掃引（Ｂｅａｍ  ｓｗｅｅｐｉｎｇ）動作を簡単に示す図である。
【図１１】本発明に適用可能な２つのシンボルで構成されたｍｉｎｉ−ＰＵＣＣＨの例を示す図である。
【図１２】本発明の一例によるＬｏｎｇ  ＰＵＣＣＨの構造を簡単に示す図である。
【図１３】本発明の他の例によるＬｏｎｇ  ＰＵＣＣＨの構造のために設定されるスロット構造を簡単に示す図である。
【図１４】本発明の一例によるＬｏｎｇ  ＰＵＣＣＨとｓＰＵＣＣＨの多重化方法を説明する図である。
【図１５】本発明の他の例によるＬｏｎｇ  ＰＵＣＣＨとｓＰＵＣＣＨの多重化方法を説明する図である。
【図１６】本発明の一例によるＬｏｎｇ  ＰＵＣＣＨの間の多重化をサポートする方法を簡単に示す図である。
【図１７】本発明の一例によってＬｏｎｇ  ＰＵＣＣＨに適用可能なＰＲＢインデックス（ｉｎｄｅｘｉｎｇ）の例を示す図である。
【図１８】３つのＵＥに割り当てられたＬｏｎｇ  ＰＵＣＣＨを簡単に示す図である。
【図１９】本発明の一例によって４つのＵＣＩシンボルの構成方法を簡単に示す図である。
【図２０】ＰＵＣＣＨとＰＵＳＣＨの伝送方法を示す図である。
【図２１】本発明の一例による端末と基地局の間の物理上りリンク制御チャネルを送受信する構成を示す図である。
【図２２】提案する実施例を実現できる端末及び基地局の構成を示す図である。
【発明を実施するための形態】
【００３１】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００３２】
図面に関する説明において、本発明の要旨を曖昧にさせ得る手順又は段階などは記述を省略し、当業者のレベルで理解可能な程度の手順又は段階も記述を省略する。
【００３３】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって実現することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３４】
本明細書において本発明の実施例は基地局と移動局との間のデータ送受信関係を中心に説明される。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３５】
すなわち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、ｇＮｏｄｅ  Ｂ（ｇＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に言い換えることができる。
【００３６】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００３７】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３８】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ  ５Ｇ  ＮＲシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１、３ＧＰＰ  ＴＳ  ３６．３３１、３ＧＰＰ  ＴＳ  ３８．２１１、３ＧＰＰ  ＴＳ  ３８．２１２、３ＧＰＰ  ＴＳ  ３８．２１３、３ＧＰＰ  ＴＳ  ３８．３２１及び３ＧＰＰ  ＴＳ  ３８．３３１の文書によってサポートすることができる。すなわち、本発明の実施例のうち、説明していない自明な段階又は部分は、上記文書を参照して説明することができる。また、本文書に開示している用語はいずれも、上記標準文書によって説明することができる。
【００３９】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００４０】
また、本発明の実施例で使われる特定用語は本発明を理解し易くするために提供されるものであり、このような特定用語の使用は本発明の技術的思想を逸脱しない範囲で他の形態に変更されてもよい。
【００４１】
例えば、送信機会区間（ＴｘＯＰ：Ｔｒａｎｓｍｉｓｓｉｏｎ  Ｏｐｐｏｒｔｕｎｉｔｙ  Ｐｅｒｉｏｄ）という用語は、送信区間、送信バースト（Ｔｘ  ｂｕｒｓｔ）又はＲＲＰ（Ｒｅｓｅｒｖｅｄ  Ｒｅｓｏｕｒｃｅ  Ｐｅｒｉｏｄ）という用語と同じ意味で使うことができる。また、ＬＢＴ（Ｌｉｓｔｅｎ  Ｂｅｆｏｒｅ  Ｔａｌｋ）過程は、チャネル状態がアイドルであるか否かを判断するためのキャリアセンシング過程、ＣＣＡ（Ｃｌｅａｒ  Ｃｈａｎｎｅｌ  Ａｓｓｅｓｓｍｅｎｔ）、チャネル接続過程（ＣＡＰ：Ｃｈａｎｎｅｌ  Ａｃｃｅｓｓ  Ｐｒｏｃｅｄｕｒｅ）と同じ目的で行うことができる。
【００４２】
以下では、本発明の実施例を利用可能な無線接続システムの一例として３ＧＰＰ  ＬＴＥ／ＬＴＥ−Ａシステムについて説明する。
【００４３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４４】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって実現することができる。
【００４５】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。本発明の技術的特徴に関する説明を明確にするために、本発明の実施例は３ＧＰＰ  ＬＴＥ／ＬＴＥ−Ａシステムを中心に述べられるが、ＩＥＥＥ  ８０２．１６ｅ／ｍシステムなどに適用されてもよい。
【００４６】
１．  ３ＧＰＰ  ＬＴＥ／ＬＴＥ  Ａ  システム
【００４７】
１．１．物理チャネル及びこれを用いた信号送受信方法
【００４８】
無線接続システムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００４９】
図１は、本発明の実施例で使用可能な物理チャネル及びそれらを用いた信号送信方法を説明するための図である。
【００５０】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００５１】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００５２】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００５３】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に対応する物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００５４】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５５】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５６】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５７】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５８】
１．２．リソースの構造
【００５９】
図２は、本発明の実施例で用いられる無線フレームの構造を示す図である。
【００６０】
図２（ａ）にはタイプ１フレーム構造（ｆｒａｍｅ  ｓｔｒｕｃｔｕｒｅ  ｔｙｐｅ１）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００６１】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００６２】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００６３】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６４】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６５】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６６】
タイプ２フレームにはＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間に下りリンク信号の多重経路遅延によって上りリンクにおいて干渉を除去するための区間である。
【００６７】
次の表１は、特別フレームの構成（ＤｗＰＴＳ／ＧＰ／ＵｐＰＴＳの長さ）を表す。
【００６８】
【表１】
2019528597.tif 000003
【００６９】
またＬＴＥ  Ｒｅｌ−１３システムにおいては、特別フレームの構成（ＤｗＰＴＳ／ＧＰ／ＵｐＰＴＳの長さ）が下記の表のようにＸ（追加的なＳＣ−ＦＤＭＡのシンボルの数、上位層パラメータｓｒｓ−ＵｐＰｔｓＡｄｄにより提供され、パラメータが設定されないと、Ｘは０である）を考慮して設定される構成が新しく追加されており、ＬＴＥ  Ｒｅｌ−１４システムにおいては、Ｓｐｅｃｉａｌ  ｓｕｂｆｒａｍｅ  ｃｏｎｆｉｇｕｒａｔｉｏｎ＃１０が新しく追加されている。ここで、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛３，４，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛２，３，５，６｝に対して２つの追加ＵｐＰＴＳ  ＳＣ−ＦＤＭＡシンボルが設定されることを期待しない。さらに、ＵＥは、下りリンクにおける一般ＣＰのためのＳｐｅｃｉａｌ  ｓｕｂｆｒａｍｅ  ｃｏｎｆｉｇｕｒａｔｉｏｎｓ｛１，２，３，４，６，７，８｝及び下りリンクにおける拡張されたＣＰのためのＳｐｅｃｉａｌ  ｓｕｂｆｒａｍｅ  ｃｏｎｆｉｇｕｒａｔｉｏｎｓ｛１，２，３，５，６｝に対して４つの追加ＵｐＰＴＳ  ＳＣ−ＦＤＭＡシンボルが設定されることを期待しない。（Ｔｈｅ  ＵＥ  ｉｓ  ｎｏｔ  ｅｘｐｅｃｔｅｄ  ｔｏ  ｂｅ  ｃｏｎｆｉｇｕｒｅｄ  ｗｉｔｈ  ２  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛３，４，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ  ａｎｄ  ４  ａｄｄｉｔｉｏｎａｌ  ＵｐＰＴＳ  ＳＣ−ＦＤＭＡ  ｓｙｍｂｏｌｓ  ｆｏｒ  ｓｐｅｃｉａｌ  ｓｕｂｆｒａｍｅ  ｃｏｎｆｉｇｕｒａｔｉｏｎｓ｛１，２，３，４，６，７，８｝  ｆｏｒ  ｎｏｒｍａｌ  ｃｙｃｌｉｃ  ｐｒｅｆｉｘ  ｉｎ  ｄｏｗｎｌｉｎｋ  ａｎｄ  ｓｐｅｃｉａｌ  ｓｕｂｆｒａｍｅ  ｃｏｎｆｉｇｕｒａｔｉｏｎｓ｛１，２，３，５，６｝  ｆｏｒ  ｅｘｔｅｎｄｅｄ  ｃｙｃｌｉｃ  ｐｒｅｆｉｘ  ｉｎ  ｄｏｗｎｌｉｎｋ）
【００７０】
【表２】
2019528597.tif 000004
【００７１】
図３は、本発明の実施例で利用可能な下りリンクスロットに対するリソースグリッド（ｒｅｓｏｕｒｃｅ  ｇｒｉｄ）を例示する図である。
【００７２】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００７３】
リソースグリッド上で各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。上りリンクスロットの構造は下りリンクスロットの構造と同一であってよい。
【００７４】
図４には、本発明の実施例で利用可能な上りリンクサブフレームの構造を示す。
【００７５】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数ホッピング（ｆｒｅｑｕｅｎｃｙ  ｈｏｐｐｉｎｇ）する、という。
【００７６】
図５は、本発明の実施例で利用可能な下りリンクサブフレームの構造を示す図である。
【００７７】
図５を参照すると、サブフレームにおける一番目のスロットにおいてＯＦＤＭシンボルインデックス０から最大で３個までのＯＦＤＭシンボルが、制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７８】
ＰＣＦＩＣＨはサブフレームの一番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００７９】
２．新しい無線接続技術（Ｎｅｗ  Ｒａｄｉｏ  Ａｃｃｅｓｓ  Ｔｅｃｈｎｏｌｏｇｙ）システム
【００８０】
多数の通信機器がより大きな通信容量を要求することにより、既存の無線接続技術（ｒａｄｉｏ  ａｃｃｅｓｓ  ｔｅｃｈｎｏｌｏｇｙ、ＲＡＴ）に比べて向上した端末広帯域（Ｍｏｂｉｌｅ  Ｂｒｏａｄｂａｎｄ）通信の必要性が高まっている。また多数の機器及び物を連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）も必要となっている。さらに信頼性及び遅延などに敏感なサービス／ＵＥを考慮した通信システムのデザインが提示されている。
【００８１】
このように向上した端末広帯域通信（Ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｌｂｅ  ａｎｄ  Ｌｏｗ  Ｌａｔｅｎｃｙ  Ｃｏｍｍｕｎｉｃａｔｉｏｎ）などを考慮した新しい無線接続技術であって、新しい無線接続技術システムが提案されている。以下、本発明では便宜上、該当技術をＮｅｗ  ＲＡＴ又はＮＲ（Ｎｅｗ  Ｒａｄｉｏ）と称する。
【００８２】
２．１．ニューマロロジー（Ｎｕｍｅｒｉｏｌｏｇｉｅｓ）
【００８３】
本発明が適用可能なＮＲシステムにおいては、以下の表のような様々なＯＦＤＭニューマロロジーがサポートされている。この時、搬送波帯域幅部分（ｃａｒｒｉｅｒ  ｂａｎｄｗｉｄｔｈ  ｐａｒｔ）ごとのμ及び循環前置（ｃｙｃｌｉｃ  ｐｒｅｆｉｘ）情報は、下りリンク（ＤＬ）又は上りリンク（ＵＬ）ごとに各々シグナリングされる。一例として、下りリンク搬送波帯域幅部分（ｄｏｗｎｌｉｎｋ  ｃａｒｒｉｅｒ  ｂａｎｄｗｉｄｔｈ  ｐａｒｔ）のためのμ及び循環前置（ｃｙｃｌｉｃ  ｐｒｅｆｉｘ）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（ｕｐｌｉｎｋ  ｃａｒｒｉｅｒ  ｂａｎｄｗｉｄｔｈ  ｐａｒｔ）のためのμ及び循環前置（ｃｙｃｌｉｃ  ｐｒｅｆｉｘ）情報は、上位層シグナリングＵＬ−ＢＷＰ−ｍｕ及びＵＬ−ＭＷＰ−ｃｐを通じてシグナリングされる。
【００８４】
【表３】
2019528597.tif 000005
【００８５】
２．２．フレーム構造
【００８６】
下りリンク及び上りリンクの伝送は１０ｍｓ長さのフレームで構成される。フレームは１ｍｓ長さの１０個のサブフレームで構成される。この時、各々のサブフレームごとに連続するＯＦＤＭのシンボルの数は
【数１】
2019528597.tif 000006
である。
【００８７】
各々のフレームは２つの同じサイズのハーフフレーム（ｈａｌｆ−ｆｒａｍｅ）で構成される。この時、各々のハーフフレームはサブフレーム０−４及びサブフレーム５−９で構成される。
【００８８】
副搬送波間隔（ｓｕｂｃａｒｒｉｅｒ  ｓｐａｃｉｎｇ）μに対して、スロットは１つのサブフレーム内において昇順に
【数２】
2019528597.tif 000007
のようにナンバリングされ、１つのフレーム内において昇順に
【数３】
2019528597.tif 000008
のようにナンバリングされる。この時、１つのスロット内に連続するＯＦＤＭのシンボルの数
【数４】
2019528597.tif 000009
は、循環前置によって以下の表のように決定される。１つのサブフレーム内の開始スロット
【数５】
2019528597.tif 000010
は、同じサブフレーム内の開始ＯＦＤＭのシンボル
【数６】
2019528597.tif 000011
と時間の次元で整列されている（ａｌｉｇｎｅｄ）。以下の表４は一般循環前置（ｎｏｒｍａｌ  ｃｙｃｌｉｃ  ｐｒｅｆｉｘ）のためのスロットごと／フレームごと／サブフレームごとのＯＦＤＭのシンボルの数を示し、表５は拡張された循環前置（ｅｘｔｅｎｄｅｄ  ｃｙｃｌｉｃ  ｐｒｅｆｉｘ）のためのスロットごと／フレームごと／サブフレームごとのＯＦＤＭのシンボルの数を示す。
【００８９】
【表４】
2019528597.tif 000012
【００９０】
【表５】
2019528597.tif 000013
【００９１】
本発明が適用可能なＮＲシステムにおいては、上記のようなスロット構造であって、セルフスロット構造（Ｓｅｌｆ−Ｃｏｎｔａｉｎｅｄ  ｓｕｂｆｒａｍｅ  ｓｔｒｕｃｔｕｒｅ）が適用されている。
【００９２】
図６は本発明に適用可能なセルフサブフレーム構造（Ｓｅｌｆ−Ｃｏｎｔａｉｎｅｄ  ｓｕｂｆｒａｍｅ  ｓｔｒｕｃｔｕｒｅ）を示す図である。
【００９３】
図６において、斜線領域（例えば、ｓｙｍｂｏｌ  ｉｎｄｅｘ＝０）は下りリンク制御（ｄｏｗｎｌｉｎｋ  ｃｏｎｔｒｏｌ）領域を示し、黒色領域（例えば、ｓｙｍｂｏｌ  ｉｎｄｅｘ＝１３）は上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は下りリンクデータ伝送又は上りリンクデータ伝送のために使用される。
【００９４】
このような構造により基地局及びＵＥは１つのスロット内でＤＬ伝送とＵＬ伝送を順次に行うことができ、１つのスロット内でＤＬデータを送受信し、これに対するＵＬ  ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【００９５】
このようなセルフスロット構造においては、基地局とＵＥが送信モードから受信モードに、又は受信モードから送信モードに転換するために一定の時間長さのタイムギャップ（ｔｉｍｅ  ｇａｐ）が必要である。このために、セルフスロット構造においてＤＬからＵＬに転換される時点の一部ＯＦＤＭシンボルは、ガード区間（ｇｕａｒｄ  ｐｅｒｉｏｄ、ＧＰ）として設定されることができる。
【００９６】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【００９７】
一例として、スロットは様々なスロットフォーマットを有することができる。この時、各々のスロットのＯＦＤＭシンボルは、下りリンク（‘Ｄ’と表す）、フレキシブル（‘Ｘ’と表す）及び上りリンク（‘Ｕ’と表す）に分類される。
【００９８】
従って、下りリンクスロットにおいてＵＥは下りリンク伝送が‘Ｄ’及び‘Ｘ’シンボルでのみ発生すると仮定できる。同様に、上りリンクスロットにおいてＵＥは上りリンク伝送が‘Ｕ’及び‘Ｘ’シンボルでのみ発生すると仮定できる。
【００９９】
２．３．アナログビーム形成（Ａｎａｌｏｇ  Ｂｅａｍｆｏｒｍｉｎｇ）
【０１００】
ミリ波（Ｍｉｌｌｉｍｅｔｅｒ  Ｗａｖｅ、ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、合計１００個のアンテナ要素を設けることができる。これにより、ミリ波（ｍｍＷ）では多数のアンテナ要素を使用してビーム形成（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１０１】
この時、アンテナ要素ごとに伝送パワー及び位相の調節ができるように、各々のアンテナ要素はＴＸＲＵ（ｔｒａｎｓｃｅｉｖｅｒ）を含む。これにより、各々のアンテナ要素は周波数リソースごとに独立的なビーム形成を行うことができる。
【０１０２】
しかし、１００余個の全てのアンテナ要素にＴＸＲＵを設けることは費用面で実効性が乏しい。従って、１つのＴＸＲＵに多数のアンテナ要素をマッピングし、アナログ位相シフター（ａｎａｌｏｇ  ｐｈａｓｅ  ｓｈｉｆｔｅｒ）でビーム方向を調節する方式が考えられている。かかるアナログビーム形成方式では全帯域において１つのビーム方向のみを形成できるので、周波数選択的なビーム形成が難しいという短所がある。
【０１０３】
これを解決するために、デジタルビーム形成及びアナログビーム形成の中間形態として、Ｑ個のアンテナ要素より少ない数のＢ個のＴＸＲＵを有するハイブリッドビーム形成（ｈｙｂｒｉｄ  ＢＦ）が考えられる。この場合、Ｂ個のＴＸＲＵとＱ個のアンテナ要素の連結方式によって差はあるが、同時に伝送可能なビームの方向はＢ個以下に制限される。
【０１０４】
図７及び図８は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１０５】
図７はＴＸＲＵがサブアレイ（ｓｕｂ−ａｒｒａｙ）に連結された方式を示している。図７の場合、アンテナ要素は１つのＴＸＲＵのみに連結される。
【０１０６】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１０７】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビーム形成の方向を決定する主要パラメータである。ここで、ＣＳＩ−ＲＳアンテナポートと複数のＴＸＲＵとのマッピングは１：１又は１：多である。
【０１０８】
図７の構成によれば、ビーム形成のフォーカシングが難しいという短所があるが、全てのアンテナ構成を低価格で構成できるという長所がある。
【０１０９】
図８の構成によれば、ビーム形成のフォーカシングが容易であるという長所がある。但し、全てのアンテナ要素にＴＸＲＵが連結されるので、全体の費用が増加するという短所がある。
【０１１０】
本発明が適用可能なＮＲシステムにおいて、複数のアンテナが使用される場合、デジタルビーム形成（Ｄｉｇｉｔａｌ  ｂｅａｍｆｏｒｍｉｎｇ）及びアナログビーム形成を結合したハイブリッドビーム形成（ｈｙｂｒｉｄ  ｂｅａｍｆｏｒｍｉｎｇ）方式が適用される。この時、アナログビーム形成（又はＲＦ（ｒａｄｉｏ  ｆｒｅｑｕｅｎｃｙ）ビーム形成）は、ＲＦ端でプリコーディング（又は組み合わせ（ｃｏｍｂｉｎｉｎｇ））を行う動作を意味する。またハイブリッドビーム形成において、ベースバンド（ｂａｓｅｂａｎｄ）端とＲＦ端は各々プリコーティング（又は組み合わせ）を行う。これによりＲＦチェーンの数とＤ／Ａ（Ｄｉｇｉｔａｌ  ｔｏ  ａｎａｌｏｇ）（又はＡ／Ｄ（ａｎａｌｏｇ  ｔｏ  ｄｉｇｉｔａｌ））コンバーターの数を減らしながらデジタルビーム形成に近接する性能を得られるという長所がある。
【０１１１】
説明の便宜上、ハイブリッドビーム形成の構造は、Ｎ個の送受信端（ｔｒａｎｓｃｅｉｖｅｒ  ｕｎｉｔ、ＴＸＲＵ）とＭ個の物理的アンテナで表すことができる。この時、送信端から伝送するＬ個のデータ層（ｄｉｇｉｔａｌ  ｌａｙｅｒ）に対するデジタルビーム形成は、Ｎ＊Ｌ（Ｎ  ｂｙ  Ｌ）行列で表される。その後、変換されたＮ個のデジタル信号はＴＸＲＵを介してアナログ信号に変換され、変換された信号に対してＭ＊Ｎ（Ｍ  ｂｙ  Ｎ）行列で表されるアナログビーム形成が適用される。
【０１１２】
図９は、本発明の一例によるＴＸＲＵ及び物理的アンテナの観点におけるハイブリッドビーム形成の構造を簡単に示す図である。この時、図９においてデジタルビームの数はＬ個であり、アナログビームの数はＮ個である。
【０１１３】
さらに、本発明が適用可能なＮＲシステムにおいては、基地局がアナログビーム形成をシンボル単位で変更できるように設計して、所定の地域に位置した端末に効率的なビーム形成をサポートする方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビーム形成が適用可能な複数のアンテナパネルを導入する方法も考えられる。
【０１１４】
以上のように基地局が複数のアナログビームを活用する場合、端末ごとに信号の受信に有利するアナログビームが異なる。よって本発明が適用可能なＮＲシステムにおいては、基地局が所定のサブフレーム（ＳＦ）内でシンボルごとに異なるアナログビームを適用して（少なくとも同期信号、システム情報、ページング（ｐａｇｉｎｇ）など）信号を伝送することにより、全ての端末が受信機会を得るようにするビーム掃引（ｂｅａｍ  ｓｗｅｅｐｉｎｇ）動作が考えられている。
【０１１５】
図１０は本発明の一例による下りリンク（Ｄｏｗｎｌｉｎｋ、ＤＬ）の伝送過程における、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビーム掃引（Ｂｅａｍ  ｓｗｅｅｐｉｎｇ）動作を簡単に示す図である。
【０１１６】
図１０において、本発明が適用可能なＮＲシステムのシステム情報がブロードキャスティング（Ｂｒｏａｄｃａｓｔｉｎｇ）方式で伝送される物理的リソース（又は物理チャネル）を、ｘＰＢＣＨ（ｐｈｙｓｉｃａｌ  ｂｒｏａｄｃａｓｔ  ｃｈａｎｎｅｌ）と称する。この時、１つのシンボル内で互いに異なるアンテナパネルに属する複数のアナログビームは同時に伝送可能である。
【０１１７】
また図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Ｒｅｆｅｒｅｎｃｅ  ｓｉｇｎａｌ、ＲＳ）であるビーム参照信号（Ｂｅａｍ  ＲＳ、ＢＲＳ）の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１１８】
３．提案する実施例
【０１１９】
以下、上記のような技術的思想に基づいて本発明が提案する構成について詳しく説明する。
【０１２０】
本発明が適用可能なＮＲシステムにおいて、ＨＡＲＱ−ＡＣＫ及び／又はＣＳＩ（ｃｈａｎｎｅｌ  ｓｔａｔｅ  ｉｎｆｏｒｍａｔｉｏｎ）及び／又はｂｅａｍ及び／又はＳＲ（ｓｃｈｅｄｕｌｉｎｇ  ｒｅｑｕｅｓｔ）関連情報などを含むＵＣＩ（ｕｐｌｉｎｋ  ｃｏｎｔｒｏｌ  ｉｎｄｉｃａｔｏｒ）が伝送されるＰＵＣＣＨ（ｐｈｙｓｉｃａｌ  ｕｐｌｉｎｋ  ｃｏｎｔｒｏｌ  ｃｈａｎｎｅｌ）が定義される。１４個（又は７つ）のシンボルで構成された１つのスロット内において、１つのシンボル又は２つのシンボルで構成された相対的に短いＰＵＣＣＨ（以下、ｓＰＵＣＣＨと称する）が伝送されるか、或いは４つ以上のシンボルで構成された相対的に長いＰＵＣＣＨ（以下、ｌｏｎｇ  ＰＵＣＣＨと称する）が伝送されることができる。
【０１２１】
ＵＬデータが伝送されるＰＵＳＣＨ（ｐｈｙｓｉｃａｌ  ｕｐｌｉｎｋ  ｓｈａｒｅｄ  ｃｈａｎｎｅｌ）も１つのスロット内において相対的に少ない数のシンボル（例えば、３つ以下のシンボル）で構成されて伝送されるか（以下、このようなＰＵＳＣＨをｓＰＵＳＣＨと称する）、相対的に多い数のシンボル（例えば、４以上のシンボル）で構成されて伝送されることができる（以下、このようなＰＵＳＣＨをｌｏｎｇ  ＰＵＳＣＨと称する）。また、ＵＬチャネルの測定のために、ＳＲＳ（ｓｏｕｎｄｉｎｇ  ｒｅｆｅｒｅｎｃｅ  ｓｉｇｎａｌ）も該当スロット内で伝送されることができる。
【０１２２】
従って本発明では、本発明が適用可能なＮＲシステムにおいて、ｌｏｎｇ  ＰＵＣＣＨを構成する方法とＰＵＣＣＨの間の多重化方法について詳しく説明する。
【０１２３】
３．１．ＲＳ（Ｒｅｆｅｒｅｎｃｅ  Ｓｉｇｎａｌ）及びＵＣＩ構成方法
【０１２４】
周波数ダイバーシティ（ｄｉｖｅｒｓｉｔｙ）の利得を得るために、ｌｏｎｇ  ＰＵＣＣＨに対してはスロット内で周波数ホッピングがサポートされる。以下では、１つのスロット内で周波数ホッピングが行われる場合、同じ周波数リソースで伝送される連続シンボルで構成されたリソース単位（ｒｅｓｏｕｒｃｅ  ｕｎｉｔ）をホッピング単位（ｈｏｐｐｉｎｇ  ｕｎｉｔ）と定義する。以下、本発明ではホッピング単位を構成するＲＳ及びＵＣＩ構造に基づいたｌｏｎｇ  ＰＵＣＣＨを構成する方法について詳しく説明する。
【０１２５】
ここで、ホッピング単位内のＲＳは１番目のシンボルに伝送されるｆｒｏｎｔ−ｌｏａｄｅｄ  ＲＳ構造を有する。又は、ホッピング単位ごとにＲＳの位置は、ＵＥ−ｓｐｅｃｉｆｉｃ（又はＵＥ−ｇｒｏｕｐ  ｃｏｍｍｏｎ又はｃｅｌｌ  ｃｏｍｍｏｎ）に予め定義されるか、或いは上位層シグナリングによって（又はＬ１  Ｓｉｇｎａｌｉｎｇによって）設定される。
【０１２６】
３．１．１．第１のｌｏｎｇ  ＰＵＣＣＨ構成方法
【０１２７】
Ｌｏｎｇ  ＰＵＣＣＨは、所定数のシンボルで構成されたｍｉｎｉ−ＰＵＣＣＨ構造が複数個に拡張されて構成される。一例として、ｍｉｎｉ−ＰＵＣＣＨ構造が２つのシンボルで構成されている場合、４つのシンボルのｌｏｎｇ  ＰＵＣＣＨは２つのｍｉｎｉ−ＰＵＣＣＨが拡張されて構成され、６つのシンボルのｌｏｎｇ  ＰＵＣＣＨは３つのｍｉｎｉ−ＰＵＣＣＨが拡張されて構成される。
【０１２８】
図１１は本発明に適用可能な２つのシンボルで構成されたｍｉｎｉ−ＰＵＣＣＨの例を示す図である。この時、２つのシンボルで構成されたｍｉｎｉ−ＰＵＣＣＨは、以下の方法のうちいずれかが適用されて構成される。
【０１２９】
Ａｌｔ  １：ＴＤＭｅｄ  ｓｔｒｕｃｔｕｒｅ。図１１の（ａ）に示したように、ＲＳとＵＣＩがＴＤＭ（Ｔｉｍｅ  Ｄｉｖｉｓｉｏｎ  Ｍｕｌｔｉｐｌｅｘｉｎｇ）される構造。
【０１３０】
Ａｌｔ  ２：ＦＤＭｅｄ  ｓｔｒｕｃｔｕｒｅ。図１１の（ｂ）に示したように、ＲＳとＵＣＩの間の伝送副搬送波（又は複数のｓｕｂｃａｒｒｉｅｒのｇｒｏｕｐ）が（ｐｒｅ−ＤＦＴ（Ｄｉｓｃｒｅｔｅ  Ｆｏｕｒｉｅｒ  Ｔｒａｎｓｆｏｒｍ）ドメインで）ＦＤＭ（Ｆｒｅｑｕｅｎｃｙ  Ｄｉｖｉｓｉｏｎ  Ｍｕｌｔｉｐｌｅｘｉｎｇ）される構造。
【０１３１】
Ａｌｔ  ３：ＦＤＭｅｄ＋ＴＤＭｅｄ  ｓｔｒｕｃｔｕｒｅ。図１１の（ｃ）に示したように、ＲＳとＵＣＩがＴＤＭされながらＦＤＭされる構造。
【０１３２】
Ａｌｔ  ４：ＣＤＭｅｄ  ｓｔｒｕｃｔｕｒｅ。ＲＳとＵＣＩが同じリソース領域でＣＤＭ（Ｃｏｄｅ  Ｄｉｖｉｓｉｏｎ  Ｍｕｌｔｉｐｌｅｘｉｎｇ）される構造。
【０１３３】
Ａｌｔ  ５：ＲＳ−ｌｅｓｓ  ｓｔｒｕｃｔｕｒｅ。ＲＳ無しにＵＣＩに対応するシーケンスが予め設定され、該当シーケンスのみを伝送する構造。
【０１３４】
周波数ホッピングはｍｉｎｉ−ＰＵＣＣＨ単位で行われ、ホッピングを行うか否かは別途設定される（ｃｏｎｆｉｇｕｒａｂｌｅ）。もし１つのｌｏｎｇ  ＰＵＣＣＨが２つのｍｉｎｉ−ＰＵＣＣＨで構成される場合、該当ｌｏｎｇ  ＰＵＣＣＨについては周波数ホッピングを最大１回行うことができ、ホッピングを行うか否かは別途設定できる。
【０１３５】
他の例として、１つのｌｏｎｇ  ＰＵＣＣＨが３つのｍｉｎｉ−ＰＵＣＣＨで構成される場合、該当ｌｏｎｇ  ＰＵＣＣＨについては周波数ホッピングを最大２回行うことができ、ホッピングを行うか否かは別途設定できる。
【０１３６】
この時、周波数ホッピングが行われないように設定されたホッピング単位内のｍｉｎｉ−ＰＵＣＣＨ間のＲＳ及び／又はＵＣＩシンボルの間の時間ドメインＯＣＣ（ｏｒｔｈｏｇｏｎａｌ  ｃｏｖｅｒ  ｃｏｄｅ）を適用するか否かも別途設定できる。又は、ホッピングが行われても、同じ周波数リソース領域内に伝送されるｍｉｎｉ−ＰＵＣＣＨの間のＲＳ及び／又はＵＣＩのシンボル間の時間ドメインＯＣＣを適用するか否かは設定可能である。
【０１３７】
図１２は本発明の一例によるＬｏｎｇ  ＰＵＣＣＨの構造を簡単に示す図である。
【０１３８】
図１２に示したように、６つのシンボルの間に伝送されるｌｏｎｇ  ＰＵＣＣＨは３つの（図１１の（ａ）のような構造で構成）ｍｉｎｉ−ＰＵＣＣＨで構成される。各々のｍｉｎｉ−ＰＵＣＣＨごとに周波数ホッピングが設定されて１番目と３番目のｍｉｎｉ−ＰＵＣＣＨが同じ周波数リソース上に伝送される場合、ＲＳの間及び／又はＵＣＩシンボルの間のＯＣＣが適用されることができる。
【０１３９】
もしｍｉｎｉ−ＰＵＣＣＨが２つのシンボルで構成される場合、所定のスロット内のｌｏｎｇ  ＰＵＣＣＨの長さは偶数個のシンボルでのみ構成できるという制約がある。
【０１４０】
この問題を解決するために、ｌｏｎｇ  ＰＵＣＣＨが奇数個のシンボルで構成される場合に限って、所定のｍｉｎｉ−ＰＵＣＣＨを３つのシンボルで構成することが許容される。この時、３つのシンボルで構成されたｍｉｎｉ−ＰＵＣＣＨは、既存のｍｉｎｉ−ＰＵＣＣＨを構成する所定のシンボル（例えば、ＲＳシンボル、ＵＣＩシンボル）が繰り返して伝送される構造を有することができる。この場合、さらに繰り返して伝送されるシンボルの間にはＯＣＣが適用されることができる。
【０１４１】
又は、ＲＳとＵＣＩの間の比率を調節することによりＵＣＩの伝送効率を向上させ、ＵＣＩペイロードサイズが大きいほどＲＳシンボルの数よりも多いＵＣＩのシンボルの数で構成されたｍｉｎｉ−ＰＵＣＣＨを定義することができる。
【０１４２】
３．１．２  第２のｌｏｎｇ  ＰＵＣＣＨ構成方法
【０１４３】
１つのスロット内のＵＬ領域を構成するシンボルの数によって、ホッピング境界（ｈｏｐｐｉｎｇ  ｂｏｕｎｄａｒｙ）及び／又はＲＳのシンボルの位置及び／又はＵＣＩのシンボルの位置が設定される。
【０１４４】
図１３は本発明の他の例によるＬｏｎｇ  ＰＵＣＣＨの構造のために設定されるスロット構造を簡単に示す図である。
【０１４５】
図１３に示したように、１０個のシンボルでＵＬ領域が構成されたスロット構造内の８番目のシンボル境界で周波数ホッピングが行われるように設定され、各々のシンボルごとにＲＳが伝送されるシンボルであるか又はＵＣＩが伝送されるシンボルであるか（又は各々のシンボルごとにＲＳ／ＵＣＩ間の多重化構造、例えば、Ａｌｔ.１〜Ａｌｔ．５）が予め設定されることができる。
【０１４６】
この時、実際ｌｏｎｇ  ＰＵＣＣＨが伝送されるシンボルインデックスが決定された場合、この決定事項によって各々のシンボルでＲＳ又はＵＣＩが伝送されるか、また周波数ホッピングはどこで行われるかが自動的に決定される。もしｓｙｍｂｏｌ＃５／６／７／１０／１１／１２上にｌｏｎｇ  ＰＵＣＣＨが伝送されるように設定された場合、Ｓｙｍｂｏｌ＃６／１１ではＲＳ、ｓｙｍｂｏｌ＃５／７／１０／１２ではＵＣＩが伝送され、ｓｙｍｂｏｌ＃７以後に周波数ホッピングが行われる。
【０１４７】
該当ｓｙｍｂｏｌ＃５／６／７／１０／１１／１２上に伝送されるｌｏｎｇ  ＰＵＣＣＨのシンボルインデックスの設定方法は、各々のシンボルごとの伝送有無がビットマップ形式で指示される方法又はＰＵＣＣＨの開始シンボル（例えば、ｓｙｍｂｏｌ＃５）とホッピング単位ごとのシンボルの数（３つのｓｙｍｂｏｌ）が指示される方法を適用できる。
【０１４８】
又はホッピングの境界及び／又はｌｏｎｇ  ＰＵＣＣＨの開始シンボル及び／又はｌｏｎｇ  ＰＵＣＣＨの終了シンボル（ｅｎｄｉｎｇ  ｓｙｍｂｏｌ）及び／又はホッピング単位ごとのシンボルの数及び／又はＤＭＲＳの位置などが、ＵＥ−ｓｐｅｃｉｆｉｃ（又はＵＥ  ｇｒｏｕｐ−ｃｏｍｍｏｎ或いはｃｅｌｌ−ｃｏｍｍｏｎ）にＬ１  ｓｉｇｎａｌｉｎｇ（又はｈｉｇｈｅｒ  ｌａｙｅｒ  ｓｉｇｎａｌｉｎｇ）により指示されることができる。この時、ホッピング境界のような情報は、ＵＥ  ｇｒｏｕｐ−ｃｏｍｍｏｎ又はｃｅｌｌ  ｃｏｍｍｏｎにシグナリングされることができる。この時、後述する第４のｌｏｎｇ  ＰＵＣＣＨの構成方法でのシグナリング方法のように、ｌｏｎｇ  ＰＵＣＣＨ  ｔｙｐｅ及び／又はＰＲＵ（ＰＵＣＣＨ  Ｒｅｓｏｕｒｃｅ  Ｕｎｉｔ）の構成方法がシグナリングされることにより、ホッピング単位ごとのシンボルの数及び／又はＤＭＲＳの位置などが設定される。またＵＥ  ｇｒｏｕｐ−ｃｏｍｍｏｎ（又はｃｅｌｌ−ｃｏｍｍｏｎ）にシグナリングされたホッピングの境界は、ＰＵＣＣＨだけではなく、ＰＵＳＣＨ（特にＤＦＴ−ｓ−ＯＦＤＭが適用される場合）にも同一に適用できる。
【０１４９】
３．１．３  第３のｌｏｎｇ  ＰＵＣＣＨ構成方法
【０１５０】
ここでは、１つのスロット内のｌｏｎｇ  ＰＵＣＣＨにＵＣＩが伝送される複数のシンボルがある場合、ＵＣＩを構成する方法について詳しく説明する。
【０１５１】
該当ＵＣＩが伝送されるシンボルでは、ＲＳ無しにＵＣＩのみが存在するか、或いはＲＳとＵＣＩがＦＤＭされることができる。このようなＵＣＩの構成方法は、図１１の（ｂ）に示したように、ＲＳとＵＣＩがＦＤＭされて構成された１−ｓｙｍｂｏｌ  ＰＵＣＣＨ構造を繰り返して２−ｓｙｍｂｏｌ  ＰＵＣＣＨを構成する時にも適用でき、図１１の（ｃ）に示したように、２−ｓｙｍｂｏｌ  ＰＵＣＣＨを構成する時にも同様に適用することができる。
【０１５２】
以下、‘変調シンボル’はｍｏｄｕｌａｔｅｄ（例えば、ＱＰＳＫ（Ｑｕａｄｒａｔｕｒｅ  Ｐｈａｓｅ  Ｓｈｉｆｔ  Ｋｅｙｉｎｇ）、ＢＰＳＫ（Ｂｉｎａｒｙ  Ｐｈａｓｅ  Ｓｈｉｆｔ  Ｋｅｙｉｎｇ））シンボルを、‘シンボル’はＯＦＤＭ又はＳＣ−ＦＤＭ（Ｓｉｎｇｌｅ  Ｃａｒｒｉｅｒ-Ｆｒｅｑｕｅｎｃｙ  Ｄｉｖｉｓｉｏｎ  Ｍｏｄｕｌａｔｉｏｎ）シンボルを各々意味する。
【０１５３】
（１）  Ａｌｔ  １
【０１５４】
ＵＣＩがシーケンス（例えば、ｃｙｃｌｉｃ  ｓｈｉｆｔｅｄ  Ｚａｄｏｆｆ  Ｃｈｕ  ｓｅｑｕｅｎｃｅ）に基づいて伝送される場合（例えば、所定のｓｅｑｕｅｎｃｅと変調シンボルが乗じられた形態でＵＣＩが構成されるか、或いはシーケンスの循環シフト（ｃｙｃｌｉｃ  ｓｈｉｆｔ）リソースでＵＣＩ情報をマッピングする場合など）、１）同じＵＣＩビットに対する変調シンボルが時間ドメインＯＣＣ無しに複数のシンボルにかけて繰り返されるか、２）同じＵＣＩビットに対する変調シンボルが複数のシンボルにかけて繰り返された状態で時間ドメインＯＣＣが適用されるか、或いは３）互いに異なるＵＣＩビットに対する変調シンボルが各々のシンボルにマッピングされることができる。
【０１５５】
一例として、２ビットＵＣＩで２−ｓｙｍｂｏｌ  ＰＵＣＣＨを構成する時、１）該当２ビットＵＣＩに対するＱＰＳＫ変調シンボルが同様に複数のシンボルに繰り返されて含まれることができ（この時、各々のシンボルのｓｅｑｕｅｎｃｅはｃｙｃｌｉｃ  Ｓｈｉｆｔ又はｒｏｏｔ  ｓｅｑｕｅｎｃｅが相異する）、２）該当ＱＰＳＫ変調シンボルが同様に複数のシンボルに繰り返された状態で時間ドメインＯＣＣが適用されることができ、又は３）１ビットに分けて各々ＢＰＳＫ変調された後、互いに異なるシンボルにマッピングされることができる。この時、１）の場合には、特徴的に周波数ホッピングが適用され、２）の場合には、周波数ホッピングが許容されないことができる。また各々のシンボルごとに伝送方法が相異することもあるが、一例として１）又は３）の場合、１つのシンボルは所定のシーケンスと変調シンボルが乗じられた形態でＵＣＩが構成され、他のシンボルはシーケンスの循環シフトリソースでＵＣＩ情報がマッピングされることができる。
【０１５６】
（２）  Ａｌｔ  ２
【０１５７】
ＵＣＩがコーティングされたビット（ｃｏｄｅｄ  ｂｉｔ）（に対する変調シンボル）に基づいて伝送される場合、１）同一のＵＣＩに対する同一コーティングされたビット（の変調シンボル）が時間ドメインＯＣＣ無しに複数のシンボルにかけて繰り返されることができ、２）同一のＵＣＩに対する同一コーティングされたビット（の変調シンボル）が複数のシンボルにかけて繰り返された状態で時間ドメインＯＣＣが適用されることができ、又は３）同一のＵＣＩに対する互いに異なるコーティングされたビット（の変調シンボル）が各々のシンボルにマッピングされることができる。
【０１５８】
一例として、Ｎ  ｂｉｔｓ  ＵＣＩを伝送する時、ＲＭ（Ｒｅｅｄ  Ｍｕｌｌｅｒ）コーティング又はポラールコーティング（ｐｏｌａｒ  ｃｏｄｉｎｇ）などを適用したＸコーティングされたビットがある場合、１）各々のシンボルごとにＸ  ｃｏｄｅｄ  ｂｉｔｓを同様に繰り返してマッピングするか、２）各々のシンボルごとにＸ  ｃｏｄｅｄ  ｂｉｔｓを同様に繰り返してマッピングした状態で時間ドメインＯＣＣを適用するか、又は３）Ｘ  ｃｏｄｅｄ  ｂｉｔｓが複数のＭ個のシンボルに分けられて（各々のシンボル当たりの異なるＸ／Ｍ  ｂｉｔｓが）マッピングされることができる。さらに３）の他の方法として、各々のシンボルが有するｃｏｄｅｄ  ｂｉｔｓの数はＸと同一であっても、コーティング方法が異なる（例えば、ｒｅｄｕｎｄａｎｃｙ  ｖｅｒｓｉｏｎが異なるか或いは異なるｒａｔｅ-ｍａｔｃｈｉｎｇ  ｐａｔｔｅｒｎ  ｏｒ  ｐｕｎｃｔｕｒｉｎｇ  ｐａｔｔｅｒｎが適用）Ｘ  ｃｏｄｅｄ  ｂｉｔｓが各々のシンボルにマッピングされることができる。
【０１５９】
（３）  Ａｌｔ  ３
【０１６０】
ＵＣＩがｃｏｄｅｄ  ｂｉｔに基づいて伝送される場合、互いに異なるＵＣＩに対する（各々のＵＣＩごとにｓｅｐａｒａｔｅ  ｃｏｄｉｎｇされた）ｃｏｄｅｄ  ｂｉｔ（の変調シンボル）が各々のシンボルにマッピングされることができる。一例として、２０ｂｉｔｓで構成されたＵＣＩに対して２つのシンボルを通じてＵＣＩを伝送する時、この２０ｂｉｔｓを２つの１０ｂｉｔｓに分けて、各々の１０ｂｉｔｓに対してｓｅｐａｒａｔｅ  ｃｏｄｉｎｇを適用したｃｏｄｅｄ  ｂｉｔｓを各々のシンボルに別々にマッピングすることができる。
【０１６１】
他の例として、ＨＡＲＱ−ＡＣＫとＣＳＩで構成されたＵＣＩについてＨＡＲＱ−ＡＣＫとＣＳＩの各々に対してｓｅｐａｒａｔｅ  ｃｏｄｉｎｇを適用し、互いに異なるシンボルにマッピングすることができる。またＵＣＩがｓｅｑｕｅｎｃｅに基づいて伝送される場合にも、上記と同様に、互いに異なるＵＣＩに対する変調シンボルが各々のシンボルにマッピングされることができる。
【０１６２】
上述した様々なＡｌｔの組み合わせも可能である。
【０１６３】
一例として、ｌｏｎｇ  ＰＵＣＣＨを構成するにおいて、一部のシンボルはＡｌｔ  １の方法に従ってＵＣＩが構成され、その他のシンボルはＡｌｔ２又はＡｌｔ３の方法に従ってＵＣＩが構成される。
【０１６４】
また２−ｓｙｍｂｏｌ  ＰＵＣＣＨの構造において、特徴的に２つのシンボルのＵＣＩ  ｐａｒｔが互いに異なる方式（ｓｅｑｕｅｎｃｅ或いはｃｏｄｅｄ  ｂｉｔ）で構成されることができる。
【０１６５】
一例として、一方のシンボルではＵＣＩとＲＳがＦＤＭされて伝送され、ＵＣＩがシーケンス（例えば、ｃｙｃｌｉｃ  Ｓｈｉｆｔｅｄ  Ｚａｄｏｆｆ  Ｃｈｕ  ｓｅｑｕｅｎｃｅ）に基づいて伝送される時（即ち、所定のｓｅｑｕｅｎｃｅと変調シンボルが乗じられた形態でＵＣＩが構成されるか、或いはｓｅｑｕｅｎｃｅのｃｙｃｌｉｃ  ＳｈｉｆｔリソースでＵＣＩ情報がマッピングされる）、他方のシンボルではＵＣＩ  ｏｎｌｙ形態で構成されてＵＣＩがｃｏｄｅｄ  ｂｉｔ（ｗｉｔｈ  ｏｒ  Ｗ／Ｏ  ＤＦＴ、ｗｉｔｈ  ｏｒ  Ｗ／Ｏ  ｆｒｅｑｕｅｎｃｙ  ｄｏｍａｉｎ  ＯＣＣ）に基づいて伝送される。
【０１６６】
他の例として、両方のシンボルが共にＲＳ／ＵＣＩ  ＲＤＭ形態であるが、一方のシンボルではＵＣＩがシーケンス（例えば、ｃｙｃｌｉｃ  Ｓｈｉｆｔｅｄ  Ｚａｄｏｆｆ  Ｃｈｕ  ｓｅｑｕｅｎｃｅ）に基づいて伝送される時（即ち、所定のｓｅｑｕｅｎｃｅと変調シンボルが乗じられた形態でＵＣＩが構成されるか、或いはｓｅｑｕｅｎｃｅのｃｙｃｌｉｃ  ＳｈｉｆｔリソースでＵＣＩ情報がマッピングされる）、他方のシンボルではＵＣＩがｃｏｄｅｄ  ｂｉｔ（ｗｉｔｈ  ｏｒ  Ｗ／Ｏ  ＤＦＴ、ｗｉｔｈ  ｏｒ  Ｗ／Ｏ  Ｆ−ＯＣＣ）に基づいて伝送される。
【０１６７】
以上の例示において、シーケンスに基づいて伝送されることは、ＨＡＲＱ−ＡＣＫ情報のように信頼性がもっと重要なＵＣＩタイプであり、ｃｏｄｅｄ  ｂｉｔに基づいて伝送されることは、ＣＳＩのように相対的に信頼性が重要ではないＵＣＩタイプである。
【０１６８】
３．１．４  第４のｌｏｎｇ  ＰＵＣＣＨ構成方法
【０１６９】
１つのホッピング単位を構成する様々なＰＲＵ（ＰＵＣＣＨ  ｒｅｓｏｕｒｃｅ  ｕｎｉｔ）が定義される時、所定のスロット内の１つのｌｏｎｇ  ＰＵＣＣＨは該当ＰＲＵの組み合わせを通じて構成される。ここで、該当ＰＲＵは、構成するシンボルの数、含まれるＵＣＩペイロードサイズなどによって異なる構成を有する。
【０１７０】
まず、本発明によるＰＲＵの構成方法は、以下の表の通りである。
【０１７１】
【表６】
2019528597.tif 000014
【０１７２】
表６において、Ｌｏｗ  Ｐａｙｌｏａｄ  ｓｉｚｅとはＸ  ｂｉｔ以下（例えば、Ｘ＝２）のペイロードサイズを、Ｍｉｄ  Ｐａｙｌｏａｄ  ｓｉｚｅとはＸ  ｂｉｔより大きく、Ｙ  ｂｉｔ以下（例えば、Ｘ＝２、Ｙ＝２１）のペイロードサイズを、Ｈｉｇｈ  Ｐａｙｌｏａｄ  ｓｉｚｅとはＹ  ｂｉｔより大きな（例えば、Ｙ＝２１）のペイロードサイズを意味する。
【０１７３】
各々のホッピング単位のシンボルの数によって上記の表のようにＰＲＵを構成する場合、所定のスロット内に存在し得る｛４，５，６，７，８，９，１０，１１，１２，１３，１４｝シンボルのｌｏｎｇ  ＰＵＣＣＨは、以下の表のように構成できる。この時、ｌｏｎｇ  ＰＵＣＣＨは、周波数ホッピングが設定されていない場合と周波数ホッピングが設定された場合に互いに異なる組み合わせになる。
【０１７４】
また、本発明の３．１．及び３．２．においてホッピング単位に適用される規則は、周波数ホッピングが設定されていない場合、ＰＲＵごとに適用される。
【０１７５】
【表７】
2019528597.tif 000015
【０１７６】
上記表７において、ＰＲＵ＿４は表６のＰＲＵ＿４ａ又はＰＲＵ＿４ｂを、ＰＲＵ＿５は表６のＰＲＵ＿５ａ又はＰＲＵ＿５ｂを、ＰＲＵ＿６は表６のＰＲＵ＿６ａ、ＰＲＵ＿６ｂ又はＰＲＵ＿６ｃを、ＰＲＵ＿７は表６のＰＲＵ＿７ａ、ＰＲＵ＿７ｂ又はＰＲＵ＿７ｃを意味する。また、ＰＲＵ＿Ｘ＋ＰＲＵ＿Ｙとは、Ｘ＋Ｙシンボルで構成されたｌｏｎｇ  ＰＵＣＣＨの時間的に前のＸシンボルはＰＲＵ＿Ｘで構成され、時間的に後のＹシンボルはＰＲＵ＿Ｙで構成されるか、或いは時間的に前のＹシンボルはＰＲＵ＿Ｙで構成され、時間的に後のＸシンボルはＰＲＵ＿Ｘで構成されたことを意味する。この時、与えられたスロットの後部分（例えば、最後のＮ個のシンボル、ここでＮは１〜３）に位置するｓｈｏｒｔ  ＰＵＣＣＨ及び／又はＳＲＳによってｓｈｏｒｔｅｎｅｄ  ｌｏｎｇ  ＰＵＣＣＨを構成できることを考慮した時、時間的に後側のＰＲＵのシンボルの数が時間的に前側のＰＲＵのシンボルの数より多く設定される。
【０１７７】
この時、ＰＲＵごとのＤＭＲＳの位置は、以下の表のように設定できる。
【０１７８】
【表８】
2019528597.tif 000016
【０１７９】
表７のように、ＰＲＵの組み合わせで１つのｌｏｎｇ  ＰＵＣＣＨ  ｔｙｐｅを構成するにおいて、ＤＭＲＳの位置はＰＲＵごとに異なる。特徴的にＰＲＵの間の境界を基準としてＤＭＲＳの位置がミラーリング（ｍｉｒｒｏｒｉｎｇ）されることができる。一例として、ＰＲＵ＿２＋ＰＲＵ＿２としてｌｏｎｇ  ＰＵＣＣＨ  ｔｙｐｅ  Ａを構成する時、１番目のＰＲＵ＿２のＲＳ位置は１番目のシンボルであり、２番目のＰＲＵ＿２のＲＳ位置は２番目のシンボルである。他の例として、ＰＲＵ＿５＋ＰＲＵ＿５としてｌｏｎｇ  ＰＵＣＣＨ  ｔｙｐｅ  Ｇを構成する時、１番目のＰＲＵ＿５のＲＳ位置は２／３番目のシンボル（ＰＲＵ＿５ｂ）であり、２番目のＰＲＵ＿２のＲＳ位置は３／４番目のシンボル（ＰＲＵ＿５ｂ）である。
【０１８０】
表８において、ＲＳシンボルの数が１つである場合、ＵＣＩの早期デコード（ｅａｒｌｙ  ｄｅｃｏｄｉｎｇ）のためにＰＲＵの前側にＲＳが位置するか、チャネル推定性能を考慮してＰＲＵの中頃に位置することができる。各々のＰＲＵごとに２つ以上のＲＳ  ｌｏｃａｔｉｏｎが可能な場合、基地局はＵＥにＬ１  Ｓｉｇｎａｌｉｎｇ又はｈｉｇｈｅｒ  ｌａｙｅｒ  ｓｉｇｎａｌｉｎｇを通じて実際に使用されるＲＳ  ｌｏｃａｔｉｏｎを指示することができる。
【０１８１】
表７のように、２つのＰＲＵが組み合わされて１つのｌｏｎｇ  ＰＵＣＣＨを構成するにおいて、該当ｌｏｎｇ  ＰＵＣＣＨが奇数個のシンボルで構成される場合、各々のＰＲＵのシンボルの数は相異することができる。この時、ＰＲＵごとにＲＳのシンボルの数又はＵＣＩのシンボルの数が同一に設定されることができる。一例として、１１個のシンボルで構成されたｌｏｎｇ  ＰＵＣＣＨ  ｔｙｐｅ  Ｈは、ＰＲＵ＿５とＰＲＵ＿６の組み合わせで構成される。この時、ｌｏｎｇ  ＰＵＣＣＨ  ｔｙｐｅがｈｉｇｈ  ｐａｙｌｏａｄ（又はｍｉｄｐａｙｌｏａｄ）である場合、ＲＳのシンボルの数に合わせるために、ＰＲＵ＿５のＲＳのシンボルの数とＰＲＵ＿６のＲＳのシンボルの数をいずれも１に設定することができる。又はＵＣＩのシンボルの数に合わせるために、ＰＲＵ＿５のＵＣＩのシンボルの数とＰＲＵ＿６のＵＣＩのシンボルの数をいずれも４に設定することができる。
【０１８２】
以上で提案したＰＲＵごとのＤＭＲＳ位置に関する実施例として、以下の表のようなｌｏｎｇ  ＰＵＣＣＨ構造を適用できる。
【０１８３】
【表９】
2019528597.tif 000017
【０１８４】
Ｌａｒｇｅ  Ｐａｙｌｏａｄ  ｓｉｚｅをサポートするｌｏｎｇ  ＰＵＣＣＨの場合、各々の周波数ホップごとに１つのＲＳシンボルのみが位置できる。この時、１つのホップに含まれたシンボルの数が２つである場合、ＲＳシンボルは１番目のシンボルに位置し、１つのホップに含まれたシンボルの数が３つ又は４つである場合、ＲＳシンボルは２番目のシンボルに位置し、１つのホップに含まれたシンボルの数が５つ又は６つである場合、ＲＳシンボルは３番目のシンボルに位置し、１つのホップに含まれたシンボルの数が７つである場合、ＲＳシンボルは４番目のシンボルに位置する。
【０１８５】
以上のような方法は、ＬＴＥ  ＰＵＣＣＨ  ｆｏｒｍａｔ  ５と類似に周波数ドメインＯＣＣが適用されるｍｅｄｉｕｍ  ｐａｙｌｏａｄ  ｓｉｚｅ用のＰＵＣＣＨ  ｆｏｒｍａｔに対しても適用可能である。
【０１８６】
なお、時間ドメインＯＣＣが適用されるｍｅｄｉｕｍ  ｐａｙｌｏａｄ  ｓｉｚｅ用のＰＵＣＣＨ  ｆｏｒｍａｔにおいて、１つのホップに含まれたシンボルの数が６つ又は７つである場合、ホップごとのＲＳシンボルの数は２つである。
【０１８７】
Ｌａｒｇｅ  ｐａｙｌｏａｄ  ｓｉｚｅであっても（一例として、５００ｋｍ／ｈのようなｈｉｇｈ  ｍｏｂｉｌｉｔｙ  ｓｃｅｎａｒｉｏなどを考慮した時）、ホッピングが行われるｌｏｎｇ  ＰＵＣＣＨの所定のホップに対しては２つのＤＭＲＳシンボルが求められる。一例として、表９において、ホッピングが行われるｌｏｎｇ  ＰＵＣＣＨについて所定のホップが６つ〜７つのシンボルである場合、ｌａｒｇｅ  ｐａｙｌｏａｄ  ｓｉｚｅであってもホップごとに２つのＤＭＲＳシンボルが必要である。この時、ＤＭＲＳシンボルの位置は、表９に示したように、ホップ内で２番目のシンボル及び最後から２番目のシンボルに決定される。
【０１８８】
しかし、副搬送波間隔（ｓｕｂ−ｃａｒｒｉｅｒ  ｓｐａｃｉｎｇ）が大きくなるに従って、１つのシンボル区間のサイズが減少できるので、副搬送波間隔が大きくなるに従ってｍｏｂｉｌｉｔｙによる影響が減少する。よって、副搬送波間隔が大きくなるほどホッピングが行われるｌｏｎｇ  ＰＵＣＣＨに対して１つのホップ内のＤＭＲＳのシンボルの数は少なく設定される。
【０１８９】
一例として、副搬送波間隔がＸ  ｋＨｚ以下（例えば、Ｘ＝１５又はＸ＝３０）であり、ホッピングが行われるｌｏｎｇ  ＰＵＣＣＨの１つのホップがＹシンボル以下（例えば、Ｙ＝６又はＹ＝７）である場合、ｌａｒｇｅ  ｐａｙｌｏａｄ  ｓｉｚｅであってもホップごとに２つのＤＭＲＳシンボルが伝送されるように設定することができる。逆に、副搬送波間隔がＸ  ｋＨｚ以下であり、ホッピングが行われるｌｏｎｇ  ＰＵＣＣＨの１つのホップがＹシンボルを超える（例えば、Ｙ＝６又はＹ＝７）場合は、ホップごとに１つのＤＭＲＳシンボルが伝送されるように設定することができる。
【０１９０】
この時、ＤＭＲＳシンボルの位置は、表９に示したように、ホップ内で２番目のシンボル及び最後から２番目のシンボルに決定される。
【０１９１】
逆に、副搬送波間隔がＸ  ｋＨｚを超える場合、ホッピングが行われるｌｏｎｇ  ＰＵＣＣＨのホップ当たりのＤＭＲＳのシンボルの数は常に１つに設定される。
【０１９２】
又は、ホップ当たりのＤＭＲＳのシンボルの数はペイロードサイズと副搬送波間隔の組み合わせによって設定される。
【０１９３】
一例として、副搬送波間隔がＸ  ｋＨｚ以下（例えば、Ｘ＝１５或いはＸ＝３０）でありかつ（ＰＲＢ当たりの）ｐａｙｌｏａｄ  ｓｉｚｅがＺ（例えば、Ｚ＝５０ｂｉｔｓ  ｐｅｒ  ＰＲＢ）以下である場合、ホッピングが行われるｌｏｎｇ  ＰＵＣＣＨの１つのホップがＹシンボル以下であると（例えば、Ｙ＝６或いはＹ＝７）、Ｌａｒｇｅ  ｐａｙｌｏａｄ  ｓｉｚｅであってもホップごとに２つのＤＭＲＳシンボルが伝送されるように設定される。逆に、ホップが行われるｌｏｎｇ  ＰＵＣＣＨの１つのホップがＹシンボルを超えると（例えば、Ｙ＝６或いはＹ＝７）、ホップごとに１つのＤＭＲＳシンボルが伝送されるように設定される。
【０１９４】
この時、ホップごとのＤＭＲＳのシンボルの位置は、表９に示したように、ホップ内で２番目のシンボル及び最後から２番目のシンボルに決定される。
【０１９５】
逆に、副搬送波間隔がＸ  ｋＨｚを超えるか或いは（ＰＲＢ当たりの）ｐａｙｌｏａｄ  ｓｉｚｅがＺを超える場合は、ホッピングが行われるｌｏｎｇ  ＰＵＣＣＨのホップ当たりのＤＭＲＳシンボルの数は常に１つに設定される。
【０１９６】
３．１．５  第５のｌｏｎｇ  ＰＵＣＣＨ構成方法
【０１９７】
周波数ホッピングが適用される場合、各々のホップごとのＤＭ−ＲＳシンボルの数及び位置は、以下のように早期デコード（ｅａｒｌｙ  ｄｅｃｏｄｉｎｇ）、電力過渡区間（ｐｏｗｅｒ  ｔｒａｎｓｉｅｎｔ  ｐｅｒｉｏｄ）及びＤＭ−ＲＳ間隔（ｉｎｔｅｒｖａｌ）などを考慮した規則に基づいて決定できる。
【０１９８】
（１）Ｆｒｏｎｔ−ｌｏａｄｅｄ  ＤＭ−ＲＳ（即ち、ｅａｒｌｙ  ｄｅｃｏｄｉｎｇ）と均一間隔のＤＭ−ＲＳ分布を同時に考慮した形態のマッピング方法の場合、以下の表のようにＰＵＣＣＨを占めるシンボルの数によってＤＭ−ＲＳの位置が設定される。
【０１９９】
【表１０】
2019528597.tif 000018
【０２００】
（２）Ｐｏｗｅｒ  ｔｒａｎｓｉｅｎｔ  ｐｅｒｉｏｄを考慮して各々のホップの最初／最後のシンボルに（ＤＭ−ＲＳシンボルではない）ＵＣＩのシンボルを配置した形態のマッピング方法の場合、以下の表のようにＰＵＣＣＨを占めるシンボルの数によってＤＭ−ＲＳの位置が設定される。
【０２０１】
【表１１】
2019528597.tif 000019
【０２０２】
（３）各々のホップごとのＤＭ−ＲＳシンボルの数が最大２つであり、非ホッピング（ｎｏｎ−ｈｏｐｐｉｇ）の時にミラーリングされる（ｍｉｒｒｏｒｅｄ）形態であって、均一間隔のＤＭ−ＲＳ分布を同時に考慮した形態のマッピング方法の場合、以下の表のようにＰＵＣＣＨを占めるシンボルの数によってＤＭ−ＲＳの位置が設定される。
【０２０３】
【表１２】
2019528597.tif 000020
【０２０４】
（４）各々のホップごとのＤＭ−ＲＳシンボルの数が１つであり、非ホッピング（ｎｏｎ−ｈｏｐｐｉｇ）の時にミラーリングされる（ｍｉｒｒｏｒｅｄ）形態であって、均一間隔のＤＭ−ＲＳ分布を同時に考慮した形態のマッピング方法の場合、以下の表のようにＰＵＣＣＨを占めるシンボルの数によってＤＭ−ＲＳの位置が設定される。
【０２０５】
【表１３】
2019528597.tif 000021
【０２０６】
３．１．６  第６のｌｏｎｇ  ＰＵＣＣＨ構成方法
【０２０７】
ここでは、周波数ホッピングを行う場合と行わない場合に、各々のホップごと及びＰＵＣＣＨの長さ（ｄｕｒａｔｉｏｎ）ごとのＤＭ−ＲＳのシンボルの数を決定する方法について詳しく説明する。特に、この構成はＵＣＩペイロードサイズがＫ  ｂｉｔｓ（例えば、Ｋ＝２）を超えた場合に限って適用可能である。
【０２０８】
まず、周波数ホッピングを行う場合、各々のホップのうち１つでも長さがＸシンボルを超えると、該当ホップに対してＤＭ−ＲＳが１シンボルであるか又は２シンボルであるかがＵＥ−ｓｐｅｃｉｆｉｃ  ＲＲＣシグナリングによって設定されるか（Ｍｅｔｈｏｄ  １）、或いは２つのホップの長さがいずれもＸシンボルを超えると、全てのホップに対してＤＭ−ＲＳが１シンボルであるか又は２シンボルであるかがＵＥ−ｓｐｅｃｉｆｉｃ  ＲＲＣシグナリングによって設定される（Ｍｅｔｈｏｄ  ２）。これらのＭｅｔｈｏｄにおいて、ＤＭ−ＲＳのシンボルの数が設定されていないホップは、ＤＭ−ＲＳのシンボルの数が常に１つに設定される。
【０２０９】
一例として、Ｘ＝５の場合、ｌｏｎｇ  ＰＵＣＣＨ  ｔｙｐｅ  Ｈのように１１個のシンボルで構成されて周波数ホッピングが行われ、一方のホップは５つのシンボルであり、他方のホップは６つのシンボルであると仮定する。
【０２１０】
この時、Ｍｅｔｈｏｄ  １によれば、５シンボルのホップはＤＭ−ＲＳシンボルが１シンボルに設定され、６シンボルのホップはＤＭ−ＲＳが１シンボルであるか又は２シンボルであるかが設定されることができる。但し、Ｍｅｔｈｏｄ  ２によれば、５シンボルのホップがあるので、両方ともＤＭ−ＲＳシンボルが１シンボルで構成される。
【０２１１】
Ｍｅｔｈｏｄ  ２の場合、全ホップの長さが５シンボルを超えた場合に限って、全ホップにＤＭ−ＲＳシンボルが１シンボルであるか又は２シンボルであるかが設定される。
【０２１２】
周波数ホッピングを行わない場合、該当ｌｏｎｇ  ＰＵＣＣＨを構成するシンボルの数がＹ個以下であると、ＤＭ−ＲＳのシンボルの数が常に１つに決定される。この時、Ｙ値はＭｅｔｈｏｄ  １又はＭｅｔｈｏｄ  ２のＸと一致することができる。
【０２１３】
また、ｌｏｎｇ  ＰＵＣＣＨを構成するシンボルの数がＹ個を超え、Ｚ個以下であると、ＤＭ−ＲＳのシンボルの数が常に２に決定される。この時、Ｍｅｔｈｏｄ  １によれば、Ｙ＝Ｘ、Ｚ＝２＊Ｘであり、Ｍｅｔｈｏｄ  ２によれば、Ｙ＝Ｘ、Ｚ＝２＊Ｘ＋１である。
【０２１４】
また、ｌｏｎｇ  ＰＵＣＣＨを構成するシンボルの数がＷ個である場合、ＤＭ−ＲＳのシンボルの数が２つであるか又は３つであるかが、ＵＥ−ｓｐｅｃｉｆｉｃ  ＲＲＣシグナリングにより設定される。この時、Ｍｅｔｈｏｄ  １によれば、Ｗ＝２＊Ｘ＋１であることができる。一例として、Ｘ＝５の場合、１１個のシンボルで構成されて周波数ホッピングが行われない場合、ＤＭ−ＲＳのシンボルの数が２つであるか又は３つであるかが設定される。
【０２１５】
また、ｌｏｎｇ  ＰＵＣＣＨを構成するシンボルの数がＱ個を超える場合、ＤＭ−ＲＳのシンボルの数が２つであるか又は４つであるかが、ＵＥ−ｓｐｅｃｉｆｉｃ  ＲＲＣシグナリングにより設定される。この時、Ｍｅｔｈｏｄ  １又はＭｅｔｈｏｄ  ２によれば、Ｑ＝２＊Ｘ＋１である。
【０２１６】
３．２  多重化（Ｍｕｌｔｉｐｌｅｘｉｎｇ）方法
【０２１７】
ここでは、ｌｏｎｇ  ＰＵＣＣＨの間又はｓＰＵＣＣＨとｌｏｎｇ  ＰＵＣＣＨの間の多重化をサポートする方法について詳しく説明する。
【０２１８】
３．２．１．第１の多重化方法
【０２１９】
（ホッピング単位内に）ＵＣＩの伝送時に周波数ドメインＯＣＣを介してＵＥの間（又はａｎｔｅｎｎａ  ｐｏｒｔの間）の多重化がサポートされる。ここで、ホッピング単位を構成するシンボルの数によってＯＣＣの長さが変わる。
【０２２０】
この時、ＯＦＤＭに基づくＵＣＩ伝送である場合、周波数ドメインでＯＣＣが適用され、ＤＦＴ−ｓ−ＯＦＤＭに基づくＵＣＩ伝送である場合は、ＰＡＰＲ（Ｐｅａｋ  ｔｏ  Ａｖｅｒａｇｅ  Ｐｏｗｅｒ  Ｒａｔｉｏ）維持のためにＤＦＴ前端の仮想周波数ドメイン（ｖｉｒｔｕａｌ  ｆｒｅｑｕｅｎｃｙ  ｄｏｍａｉｎ）でＯＣＣが適用されることができる。
【０２２１】
特徴的に、ホッピング単位当たりのＵＣＩシンボルが所定の数（例えば、１つ）以下である場合、又はＵＣＩに割り当てられた時間／周波数リソースが所定の数（例えば、１つｘ１２Ｒｅｓ）以下である場合は、周波数ドメインＯＣＣは長さが１であるか或いは設定されない。
【０２２２】
一例として、２シンボルで伝送されるＵＣＩにおいて、各々のシンボルごとに（Ｖｉｒｔｕａｌ）周波数ドメインリソースを２つに分けてｌｅｎｇｔｈ  ２  ＯＣＣ（例えば、［１，１］、［１，−１］）が適用されることができる。この時の（Ｖｉｒｔｕａｌ）周波数ドメインリソースを分ける方法としては、コンボ（ｃｏｍｂ）形態又は複数のＮＲＥを連続したＮ／２  ＲＥに区分する形態などを適用できる。
【０２２３】
もし３シンボルで伝送されるＵＣＩにおいて、各々のシンボルごとに（Ｖｉｒｔｕａｌ）周波数ドメインリソースを３つに分けてｌｅｎｇｔｈ  ３  ＯＣＣが適用されることができる。この時の（Ｖｉｒｔｕａｌ）周波数ドメインリソースを分ける方法としては、コンボ形態又は複数のＮＲＥを連続したＮ／３  ＲＥに区分する形態などを適用できる。
【０２２４】
これらの方法によれば、ＵＣＩのシンボルの数が異なる場合にも、コーティングレート（ｃｏｄｉｎｇ  ｒａｔｅ）を一定に維持できるという長所がある。
【０２２５】
さらに、周波数ドメインＯＣＣの長さは、ＵＣＩコードレート又はＵＣＩシンボルの数によって決定される。
【０２２６】
（１）Ａｌｔ  １
【０２２７】
所定のＵＣＩコードレート（Ｒ）に基づいて周波数ドメインＯＣＣの長さ（ｌｅｎｇｔｈ）が決定される。
【０２２８】
一例として、割り当てられたＵＣＩシンボルの数ＮとＯＣＣの長さＫで計算されたコードレートがＲを超えない最大のコードレートになるようにＫが決定される。即ち、多いシンボルで構成されるほどＯＣＣの長さは大きく設定される。
【０２２９】
他の例として、所定のＵＣＩのシンボルの数Ｎに基づいてＯＣＣの長さをＫと設定した状態で（この時のＵＣＩコードレートはＲ以下）、ＵＣＩのシンボルの数がＮより少なくなり、かつＯＣＣの長さＫとの組み合わせによるコードレートがＲを超える場合、ＯＣＣの長さはＫ未満の値に決定される。
【０２３０】
（２）Ａｌｔ  ２
【０２３１】
所定のＵＣＩのシンボルの数（Ｌ）に基づいて周波数ドメインＯＣＣの長さ（ｌｅｎｇｔｈ）が決定される。
【０２３２】
一例として、割り当てられたＵＣＩシンボルの数ＮがＬより小さいと、相対的に短い周波数ドメインＯＣＣが適用され、割り当てられたＵＣＩシンボルの数ＮがＬ以上であると、相対的に長い周波数ドメインＯＣＣが適用される。
【０２３３】
他の例として、所定のＵＣＩのシンボルの数Ｌに基づいてＬ以上のＵＣＩのシンボルの数に対してはＯＣＣの長さをＫに設定し、ＵＣＩのシンボルの数がＬより小さい場合は、ＯＣＣの長さをＫ未満に設定することができる。
【０２３４】
この方法は、ＵＥの間でＦＤＭされ、部分的ＰＲＢのみを使用するＰＵＣＣＨの場合にも同様に適用できる。
【０２３５】
一例として、１２ＲＥで構成されたＰＵＣＣＨを２個のＵＥが多重化する場合、各々のＵＥは連続した６ＲＥ又は奇数番目或いは偶数番目の６ＲＥのみをＰＵＣＣＨ伝送に使用することができる。
【０２３６】
Ａｌｔ  １によれば、所定のＵＣＩコードレート（Ｒ）に基づいて周波数軸の利用可能ＲＥの数が決定される。
【０２３７】
一例として、割り当てられたＵＣＩのシンボルの数ＮとＲＥの数Ｋで計算されたコードレートがＲを超えない最大のコードレートになるようにＫが決定される。即ち、多いシンボルで構成されるほどＲＥの数Ｋは小さい。
【０２３８】
他の例として、所定のＵＣＩのシンボルの数Ｎに基づいてＲＥの数をＫに設定した状態で（この時のＵＣＩコードレートはＲ以下）、ＵＣＩのシンボルの数がＮより少なくなり、かつＲＥの数Ｋとの組み合わせによるコードレートがＲを超える場合は、ＲＥの数をＫを超える値に設定することができる。
【０２３９】
Ａｌｔ２の場合、所定のＵＣＩのシンボルの数（Ｌ）に基づいて周波数軸の利用可能ＲＥの数が決定される。
【０２４０】
一例として、割り当てられたＵＣＩのシンボルの数ＮがＬより小さいと、相対的に多いＲＥの数が適用され、割り当てられたＵＣＩのシンボルの数ＮがＬ以上であると、相対的に小さいＲＥの数が適用される。
【０２４１】
他の例として、所定のＵＣＩのシンボルの数Ｌに基づいてＬ以上のＵＣＩのシンボルの数についてはＲＥの数をＫに設定し、ＵＣＩのシンボルの数がＬより小さい場合は、ＲＥの数をＫを超える数に伸ばすことができる。
【０２４２】
３．２．２．第２の多重化方法
【０２４３】
もし３．１．１．でのＡｌｔ．５のようにシーケンスのみに基づいてｓＰＵＣＣＨが構成される場合、ｓＰＵＣＣＨに対してｌｏｎｇ  ＰＵＣＣＨのＲＳシンボル及び／又は（ｓｅｑｕｅｎｃｅに基づく）ＵＣＩのシンボルとの多重化がサポートされる。この時、どの時間軸及び／又は周波数軸のリソースでｓＰＵＣＣＨが伝送されるかがＵＣＩ情報として活用される。
【０２４４】
図１４は本発明の一例によるＬｏｎｇ  ＰＵＣＣＨとｓＰＵＣＣＨの多重化方法を説明する図である。
【０２４５】
図１４に示されたｌｏｎｇ  ＰＵＣＣＨと多重化されるシーケンスに基づくｓＰＵＣＣＨが、ｓｙｍｂｏｌ＃９上で（ｌｏｎｇ  ＰＵＣＣＨ  ＲＳとＣＤＭされて）伝送されると、ＡＣＫを意味し、ｓｙｍｂｏｌ＃１２上で（ｌｏｎｇ  ＰＵＣＣＨ  ＲＳとＣＤＭされて）伝送されると、ＮＡＣＫを意味すると予め約束できる。即ち、ＡＣＫであるか或いはＮＡＣＫであるかによって、ＵＥが伝送するｓＰＵＣＣＨリソースが決定される。
【０２４６】
図１５は本発明の他の例によるＬｏｎｇ  ＰＵＣＣＨとｓＰＵＣＣＨの多重化方法を説明する図である。
【０２４７】
図１５に示されたｌｏｎｇ  ＰＵＣＣＨとｓＰＵＣＣＨの間のＣＭＤをサポートするにおいて、ＵＥ１にｓｙｍｂｏｌ＃８／９が各々ＡＣＫ／ＮＡＣＫリソースとして、ＵＥ２にｓｙｍｂｏｌ＃１０／１１が各々ＡＣＫ／ＮＡＣＫリソースとして、ＵＥ３にｓｙｍｂｏｌ＃１２／１３が各々ＡＣＫ／ＮＡＣＫリソースとして設定される。
【０２４８】
具体的には、各々のシンボルごとのＲＳ及びＵＣＩはシーケンスに基づいて構成され、ＵＥごとに異なる循環シフト（ｃｙｃｌｉｃ  Ｓｈｉｆｔ；ＣＳ）値を割り当てることにより、ＣＤＭがサポートされる。この時、全Ｎ個のＣＳ値のうち、Ｋ個のＣＳをｓＰＵＣＣＨ用として割り当て、その他のＮ−Ｋ個のＣＳをｌｏｎｇ  ＰＵＣＣＨ用として割り当てる場合、Ｋ＊ｌｏｎｇ  ＰＵＣＣＨのシンボルの数（又はｌｏｎｇ  ＰＵＣＣＨ  ＲＳシンボルの数）ほどのシーケンス利用可能サポートがｓＰＵＣＣＨ用として活用されることができる。
【０２４９】
図１５を参照すると、各々のシンボルごとに１２個のＣＳリソースを有する時、そのうちの１つである１２番目のＣＳリソースがｓＰＵＣＣＨ用として割り当てられることができる。この時、図１５に示されたｌｏｎｇ  ＰＵＣＣＨは６つのシンボルのｌｏｎｇ  ＰＵＣＣＨであるので、最大６つのシーケンスリソース（又はｓＰＵＣＣＨリソース）が活用される。該当６つのｓｅｑｕｅｎｃｅリソースのうち、ＵＥ１のＡＣＫ／ＮＡＣＫリソースとしてｓｙｍｂｏｌ＃８／９の１２番目のＣＳリソースが各々割り当てられ、ＵＥ２のＡＣＫ／ＮＡＣＫリソースとしてｓｙｍｂｏｌ＃１０／１１の１２番目のＣＳリソースが各々割り当てられ、ＵＥ３のＡＣＫ／ＮＡＣＫリソースとしてｓｙｍｂｏｌ＃１２／１３の１２番目のＣＳリソースが各々割り当てられることができる。
【０２５０】
３．２．３．  第３の多重化方法
【０２５１】
２つのシンボル単位で周波数ホッピングを行う場合、電力過渡区間（ｐｏｗｅｒ  ｔｒａｎｓｉｅｎｔ  ｐｅｒｉｏｄ）により性能減少が発生することができる。よって、ここでは上記特性を考慮したＲＳ／ＵＣＩ構造及び多重化方法について詳しく説明する。
【０２５２】
一例として、ホッピング境界の隣接シンボルの間には、ＲＳのみで又はＵＣＩのみで構成されないように制約がかかることができる。
【０２５３】
例えば、ｓｙｍｂｏｌ＃９／１０／１１／１２の４つのシンボルで構成されたｌｏｎｇ  ＰＵＣＣＨについて２つのシンボルずつ１つのホッピング単位が構成される時、ｓｙｍｂｏｌ＃１０及びｓｙｍｂｏｌ＃１１がいずれもＲＳシンボル（又はＵＣＩシンボル）であると、電力過渡区間による影響が大きくなり得るので、このようなＲＳ／ＵＣＩの構成方法は許容されない。
【０２５４】
又は、ｓｙｍｂｏｌ＃９及びｓｙｍｂｏｌ＃１１がＲＳが伝送されるシンボルであると、ＲＳが伝送されるように設定されたシンボルのＯＮ区間（ｄｕｒａｔｉｏｎ）がシンボル区間の間に全く維持されるように電力マスク（ｐｏｗｅｒ  ｍａｓｋ）が設定される。即ち、ＯＦＦ->ＯＮ電力過渡区間及び／又はＯＮ->ＯＦＦ電力過渡区間がＲＳが伝送されるシンボル領域に含まれないように電力マスクが設定される。
【０２５５】
図１６は本発明の一例によるＬｏｎｇ  ＰＵＣＣＨ間の多重化をサポートする方法を簡単に示す図である。
【０２５６】
図１６に示したように、ホッピング単位の間にＸ（例えば、Ｘ＞＝１）シンボルギャップが存在するようにｌｏｎｇ  ＰＵＣＣＨが設定されると、電力過渡区間に影響を与える。また、各々のホッピング単位ごとにＵＥ間のＲＳを共有することにより、多重化容量（ｍｕｌｔｉｐｌｅｘｉｎｇ  ｃａｐａｃｉｔｙ）を極大化することができる。この時、ＲＳを所定のシンボルで共有する方法としては、ＲＥ（又はＲＥグループ）ごとにＦＤＭ／ＣＤＭされる方法を適用できる。
【０２５７】
３．２．４  第４の多重化方法
【０２５８】
上述した３．１．３．又は３．１．４．でのように、１つのホッピング単位に含まれた多数のシンボル上にＵＣＩ  ｂｉｔが伝送され、ＵＥ間のＣＤＭをサポートするために時間ドメインＯＣＣが適用されることができ、ホッピング単位を構成するシンボルの数によってＯＣＣ長さが変わることができる。
【０２５９】
又は、上述した３．２．１．でのように、（ホッピング単位内の）ＵＣＩ伝送の時、周波数ドメインＯＣＣを通じてＵＥ間の（又はａｎｔｅｎｎａ  ｐａｒｔ間の）多重化がサポートされ、ホッピング単位を構成するシンボルの数によってＯＣＣの長さが変わることができる。
【０２６０】
ここでは、上記のようにＯＣＣ長さが変わることによるＲＳの構成方法について詳しく説明する。
【０２６１】
より具体的には、固定された長さのＲＳシーケンスに対してＯＣＣ長さによって異なる循環シフト（ＣＳ）間隔のＲＳが割り当てられる。即ち、固定された長さのＲＳシーケンスに対してＯＣＣ長さが長いほど割り当て可能なＲＳの循環シフト（ＣＳ）の間隔が狭くなる。
【０２６２】
一例として、１２のＣＳのうち、１２ＲＥｓで構成されたＲＳに対してＯＣＣ長さが２であると６間隔で２つのＣＳが割り当てられ、ＯＣＣ長さが４であると３間隔で４つのＣＳが割り当てられる。
【０２６３】
もしホッピング単位間のＯＣＣ長さが異なる場合、ＯＣＣ長さが短いホッピング単位に合わせてホッピング単位の間に同じ方法でＲＳが割り当てられる。
【０２６４】
一例として、２つのホッピング単位で構成されたｌｏｎｇ  ＰＵＣＣＨに対して、１つのホッピング単位上のＯＣＣ長さが２であり、他のホッピング単位上のＯＣＣ長さが４である場合、１２個のＣＳのうち、１２ＲＥｓで構成されたＲＳに対して、ＯＣＣ長さが２であるホッピング単位に合わせて各々のホッピング単位ごとに共通に６間隔でＣＳが割り当てられる。
【０２６５】
又は、各々のホッピング単位ごとに異なるようにＣＳが割り当てられることができる。一例として、ＯＣＣ長さが２であるホッピング単位上のＲＳに対して６間隔でＣＳが割り当てられ、ＯＣＣ長さが４であるホッピング単位上のＲＳに対して３間隔でＣＳが割り当てられる。但し、実際にＯＣＣ長さが４であるホッピング単位上のＲＳに対しては３間隔の４つのＣＳのうち、所定の２つのみが有効になるように設定される。
【０２６６】
【表１４】
2019528597.tif 000022
【０２６７】
より具体的には、表１４の例において、ホッピング単位間のＯＣＣ長さが異なる場合、ＯＣＣ長さが短いホッピング単位に合わせてホッピング単位の間に同じ方法でＲＳが割り当てられる。
【０２６８】
一例として、表１４の‘ＤＭＲＳ  ｌｏｃａｔｉｏｎ  ｗ／ｈｏｐｐｉｎｇ’列（ｃｏｌｕｍｎ）でシンボルの数が４／５である場合、短いＯＣＣの長さが１であるので、ＣＳが１つ（一例として、ＣＳ  ｉｎｄｅｘは０番）に設定され、シンボルの数が６／７である場合、短いＯＣＣの長さが２であるので、ＣＳが２つ（一例として、ＣＳ  ｉｎｄｅｘは０，６番）に設定され、シンボルの数が８／９である場合、短いＯＣＣの長さが３であるので、ＣＳが３つ（一例として、ＣＳ  ｉｎｄｅｘは０，４，８番）に設定され、シンボルの数が１０／１１／１２／１３である場合は、短いＯＣＣの長さが４であるので、ＣＳが４つ（一例として、ＣＳ  ｉｎｄｅｘは０，３，６，９番）に設定される。
【０２６９】
１つのスロット内のｌｏｎｇ  ＰＵＣＣＨに対して周波数ホッピングが適用されない場合、上記のような方法はｌｏｎｇ  ＰＵＣＣＨの全てに対して同じ方法が適用される。
【０２７０】
３．２．５．  第５の多重化方法
【０２７１】
上記の３．１．４．でのように、１つのスロット内のｌｏｎｇ  ＰＵＣＣＨに対して周波数ホッピングが適用されるか或いは適用されないことができる。ここでは、周波数ホッピングの適用有無による時間ドメインＯＣＣの適用方法について詳しく説明する。
【０２７２】
より具体的は、周波数ホッピングを行わない場合、ＯＣＣ長さがより長い時間ドメインＯＣＣが適用される。
【０２７３】
一例として、３．１．４．でのように、Ｘ＋Ｙシンボルからなるｌｏｎｇ  ＰＵＣＣＨはＰＲＵ＿ＸとＰＲＵ＿Ｙの組み合わせで構成される。もし、ＰＲＵ＿ＸがＡ個（Ａ＜Ｘ）のＵＣＩシンボルを含み、ＰＲＵ＿ＹはＢ個（Ｂ＜Ｙ）のＵＣＩシンボルを含む場合、周波数ホッピングが設定されると、各々のＰＲＵに対して各々ｌｅｎｇｔｈ−Ａ、ｌｅｎｇｔｈ−Ｂの時間ドメインＯＣＣが適用される。逆に、周波数ホッピングが設定されないと、ホッピングが設定された場合と同様に各々のＰＲＵに対して各々ｌｅｎｇｔｈ−Ａ、ｌｅｎｇｔｈ−Ｂの時間ドメインＯＣＣが適用されるか（Ｏｐｔ  １）、或いはｌｅｎｇｔｈ−（Ａ＋Ｂ）の時間ドメインＯＣＣが適用される（Ｏｐｔ  ２）。
【０２７４】
この時、ＵＣＩを構成する方法によってｌｅｎｇｔｈ−（Ａ＋Ｂ）の時間ドメインＯＣＣが適用される時のＵＣＩ伝送方法が変わる。
【０２７５】
一例として、ＬＴＥ  ＰＵＣＣＨ  ｆｏｒｍａｔ  １ａ／１ｂ系列のようにホッピング単位ごと又はＰＲＵごとに同じＵＣＩ情報が繰り返されて構成される場合、上述したＯｐｔ  １又はＯｐｔ  ２が適用されるＵＣＩの伝送方法が同様に維持される。
【０２７６】
他の例として、ＬＴＥ  ＰＵＣＣＨ  ｆｏｒｍａｔ  ３系列のように（ｆｒｅｑｕｅｎｃｙ  ｈｏｐｐｉｎｇが行われる時）、ＵＣＩペイロードの符号化ビット（ｅｎｃｏｄｅｄ  ｂｉｔ）がホッピング単位ごと又はＰＲＵごとに分散されて伝送される場合、上述したＯｐｔ  ２が適用されると、ＵＣＩの伝送方法が変わることができる。即ち、上述したＯｐｔ  ２が適用されると、符号化ビットは分散されずＰＲＵごとに繰り返して伝送される。
【０２７７】
また、Ｏｐｔ  １が適用される場合、該当ｌｏｎｇ  ＰＵＣＣＨが周波数ホッピングを行う他のＰＵＣＣＨとのＣＤＭが容易であるという長所がある。以下、ホッピングが不能（ｄｉｓａｂｌｅ）になった場合のｌｏｎｇ  ＰＵＣＣＨのリソース割り当て方法について詳しく説明する。
【０２７８】
図１７は本発明の一例によってＬｏｎｇ  ＰＵＣＣＨに適用可能なＰＲＢインデックス（ｉｎｄｅｘｉｎｇ）の例を示す図である
【０２７９】
図１７に示したように、ホッピングを行うｌｏｎｇ  ＰＵＣＣＨのＰＲＢインデクシングが行われる場合、周波数ホッピングが不能になったｌｏｎｇ  ＰＵＣＣＨも同じＰＲＢインデクシングが適用される。この時、周波数ホッピングが不能になったｌｏｎｇ  ＰＵＣＣＨは、１番目の周波数ホップに対する周波数領域のリソースのみが割り当てられ、該当周波数領域リソースが２番目の周波数ホップに対しても割り当てられることを仮定できる。
【０２８０】
３．２．６．  第６の多重化方法
【０２８１】
１つのスロット内（又は多数のスロット内）にｌｏｎｇ  ＰＵＣＣＨの周波数ホッピングが適用されると、周波数ホップの間のシンボルの数が変わり、これにより各々のホップごとに適用される時間ドメインＯＣＣの長さが変わることがある。特に、ＬＴＥ  ＰＵＣＣＨ  ｆｏｒｍａｔ  １ａ／１ｂのようにＲＳとＵＣＩがＴＤＭされる場合、ＲＳシンボルに対して時間ドメインＯＣＣが適用され、ＵＣＩシンボルに対しても時間ドメインＯＣＣが適用されることができる。
【０２８２】
一例として、上述した３．１．３．での１１個のシンボルで構成されたｌｏｎｇ  ＰＵＣＣＨ  ｔｙｐｅ  Ｈにおいて、１番目のホップはＰＲＵ＿５ｂ（即ち、ＲＳは２シンボル、ＵＣＩは３シンボル）、２番目のホップはＰＲＵ＿６ｃ（即ち、ＲＳは３シンボル、ＵＣＩは３シンボル）であることができる（逆に、１番目のホップはＰＲＵ＿６ｃ、２番目のホップはＰＲＵ＿５ｂである場合も適用可能）。
【０２８３】
該当ｌｏｎｇ  ＰＵＣＣＨの１番目のホップのＲＳシンボルは２つのシンボルであっていちばん小さいので、１２個のＣＳリソースを考慮すると、最大２４個のＵＥのみがＣＤＭされる。
【０２８４】
この時、３つのシンボルで構成された（即ち、ｌｅｎｇｔｈ−３  ＯＣＣが可能な）他のＲＳ及びＵＣＩに対して利用可能な３つのＯＣＣのうち特定の２つのＯＣＣと１２個のＣＳのみがＰＵＣＣＨリソースインデックスに活用されるか、或いは利用可能な３つのＯＣＣの全部と１２個のＣＳのうちの特定の８つのＣＳのみがＰＵＣＣＨリソースインデックスに活用されることにより、最大のＵＥ多重化容量（ｍｕｌｔｉｐｌｅｘｉｎｇ  ｃａｐａｃｉｔｙ）を合わせることができる。
【０２８５】
ここで、特定の８つのＣＳのインデックスは、｛０，１，３，４，６，７，９、１０｝又は｛０，２，３，５，６，８，９，１１｝に設定されることができる。
【０２８６】
またＣＳに対するオフセット値が２に設定されると、１２個のＣＳリソースのうち、実際に使用可能なＣＳリソースは６つ（即ち、｛０，２，４，６，８，１０｝の６つのｉｎｄｅｘ）に制限される。この場合、３つのシンボルで構成された（即ち、ｌｅｎｇｔｈ−３  ＯＣＣが可能な）他のＲＳ及びＵＣＩに対して利用可能な３つのＯＣＣのうち特定の２つのＯＣＣと６つのＣＳのみがＰＵＣＣＨリソースインデックスに活用されるか、或いは利用可能な３つのＯＣＣの全部と６つのＣＳのうち特定の４つのＣＳのみがＰＵＣＣＨリソースインデックスに活用されることにより、最大のＵＥ多重化容量（即ち、１２個）を合わせることができる。この時、特定の４つのＣＳのインデックスは、利用可能なＣＳリソース６つのうちの一部（例えば、｛０，２，６，８｝又は｛０，４，６，１０｝）であるか、或いは等間隔に離隔した特定の４つのインデックス（即ち、｛０，３，６，９｝）に設定される。
【０２８７】
他の例として、上述した３．１．３．での７つのシンボルで構成されたｌｏｎｇ  ＰＵＣＣＨ  ｔｙｐｅ  Ｄにおいて、１番目のホップはＰＲＵ＿３（即ち、ＲＳは１シンボル、ＵＣＩは２シンボル）、２番目のホップはＰＲＵ＿４ｂ（即ち、ＲＳは２シンボル、ＵＣＩは２シンボル）であることができる（逆に、１番目のホップはＰＲＵ＿４ｂ、２番目のホップはＰＲＵ＿３である場合も適用可能）。
【０２８８】
該当ｌｏｎｇ  ＰＵＣＣＨの１番目のホップのＲＳシンボルは１つのシンボルであっていちばん小さいので、１２個のＣＳリソースを考慮すると、最大１２個のＵＥのみがＣＤＭされる。
【０２８９】
この時、２つのシンボルで構成された（即ち、ｌｅｎｇｔｈ−２  ＯＣＣが可能な）他のＲＳ及びＵＣＩに対して利用可能な２つのＯＣＣのうち、特定の１つのＯＣＣ（例えば、［＋１  ＋１］）と１２個のＣＳのみがＰＵＣＣＨリソースインデックスに活用されるか（Ａｌｔ  １）、或いは利用可能な２つのＯＣＣの全部と１２個のＣＳのうち特定の６つのＣＳ（例えば、｛０，２，４，６，８，１０｝の６つのインデックス）のみがＰＵＣＣＨリソースインデックスに活用されることにより（Ａｌｔ  ２）、最大のＵＥ多重化容量を同じ水準に合わせることができる。
【０２９０】
ＣＳに対するオフセット値が２に設定される場合、１２個のＣＳリソースのうち、実際に使用可能なＣＳリソースは６つ（即ち、｛０，２，４，６，８，１０｝の６つのｉｎｄｅｘ）に制限される。この場合、Ａｌｔ  ２の方法によれば、６つの利用可能なＣＳインデックスリソースのうち、特定の３つのＣＳのみがＰＵＣＣＨリソースインデックスに活用されることができる。ここで、該当特定の３つのＣＳインデックスは｛０，４，８｝に設定される。
【０２９１】
図１８は３つのＵＥに割り当てられたＬｏｎｇ  ＰＵＣＣＨを簡単に示す図である。
【０２９２】
ＰＵＣＣＨリソースインデクシングに関する具体的な方法であって、Ａｌｔ  １によれば、ＯＣＣが考慮されずＣＳに対してのみＰＵＣＣＨリソースインデクシングが行われ、Ａｌｔ  ２によれば、ＯＣＣが優先してＰＵＣＣＨリソースインデクシングが行われる。
【０２９３】
このような場合のＵＥ多重化容量を増加させる方法として、図１８のような方式が考えられる。この時、１番目のホップの各々のシンボルごとに最大６つのＣＳが使用可能であるので、ＵＥ多重化容量を１８に向上させることができる。
【０２９４】
３．２．７．  第７の多重化方法
【０２９５】
上述した様々な多重化方法及び３．１．４．又は３．１．５．でのように、１つのホッピング単位内の多数のシンボルを通じてＵＣＩ  ｂｉｔが伝送され、ＵＥ間のＣＤＭをサポートするために適用可能な時間ドメインＯＣＣの長さは、ホッピング単位を構成するシンボルの数によって異なるように設定される。
【０２９６】
但し、ＵＥ多重化容量とサポート可能なペイロードサイズ（ｓｕｐｐｏｒｔａｂｌｅ  ｐａｙｌｏａｄ  ｓｉｚｅ）の間のトレードオフ（ｔｒａｄｅｏｆｆ）関係を考慮した時、サポート可能なペイロードサイズを増加させるためにＵＥ多重化容量を制限する方法が考えられる。
【０２９７】
よって、本発明では、時間ドメインＯＣＣを適用するＰＵＣＣＨ  ｆｏｒｍａｔにおいて、ＵＥ多重化容量を最大２個に制限しつつ、リソース可能なペイロードサイズを増加させる方法について詳しく説明する。
【０２９８】
まず、周波数ホップ当たりのＵＣＩが４つのシンボルである場合について詳しく説明する。上述した３．１．４．又は３．１．５．でのように、ＵＣＩが４つのシンボルである場合のＤＭ−ＲＳとＵＣＩシンボルの間の構成は、ＵＵＲＵＵ、ＲＵＵＲＵＵ又はＵＲＵＵＲＵなどのように構成できる。
【０２９９】
図１９は本発明の一例によって４つのＵＣＩシンボルの構成方法を簡単に示す図である。
【０３００】
４つのＵＣＩシンボルを各々時間順にインデクシングしたことがＵ（１）Ｕ（２）Ｕ（３）Ｕ（４）のようになる場合、各々のＵＥは、Ｕ（１）とＵ（２）に対してＵＣＩを繰り返して伝送し、Ｕ（３）とＵ（４）に対してＵＣＩを繰り返して伝送した後、割り当てられたｌｅｎｇｔｈ−２時間ドメインＯＣＣを適用して（図１９のように）伝送することができる。該当ＰＵＣＣＨにＣＤＭされる２つのＵＥを＃１、ＵＥ＃２と定義した時、ＵＥ＃１にＯＣＣ［＋１  ＋１］が割り当てられ、ＵＥ＃２にＯＣＣ［＋１  −１］が割り当てられる。この時、ＵＥ＃２はＵ（１）及びＵ（２）に対してＵＣＩを繰り返して伝送し、割り当てられた時間ドメインカバーコード（ｔｉｍｅ  ｄｏｍａｉｎ  ｃｏｖｅｒ  ｃｏｄｅ）である［＋１  −１］をシンボルごとに乗じて伝送し、Ｕ（３）及びＵ（４）に対しても同様にＵＣＩを繰り返して伝送し、割り当てられた時間ドメインカバーコードである［＋１  −１］をシンボルごとに乗じて伝送することができる。
【０３０１】
上述した例示において、［Ｕ（１）、Ｕ（２）］に適用するＯＣＣと同じＯＣＣが［Ｕ（３）、Ｕ（４）］に適用される場合を仮定したが、異なるＯＣＣが割り当てられて適用されることもできる。
【０３０２】
次に、周波数ホップ当たりのＵＣＩが５シンボルである場合について詳しく説明する。上述した３．１．４．又は３．１．５．でのように、ＵＣＩが５つのシンボルである場合のＤＭ−ＲＳとＵＣＩシンボルの間の構成は、ＵＵＲＵＵＵ、ＵＲＵＵＵＲＵ又はＵＲＵＵＲＵＵなどのように構成できる。５つのシンボルを各々時間順にインデクシングしたことがＵ（１）Ｕ（２）Ｕ（３）Ｕ（４）Ｕ（５）のようになると、以下の２つの方法のうちいずれかを適用できる。
【０３０３】
（１）Ｍｅｔｈｏｄ  Ａ
【０３０４】
各々のＵＥは、Ｕ（１）、Ｕ（２）及びＵ（３）の３つのシンボルに対してＵＣＩを繰り返して伝送して、割り当てられたｌｅｎｇｔｈ−３の時間ドメインＯＣＣを適用し、Ｕ（４）及びＵ（５）に対してＵＣＩを繰り返して伝送した後、割り当てられたｌｅｎｇｔｈ−２の時間ドメインＯＣＣを適用して伝送することができる。この時、［Ｕ（１）、Ｕ（２）、Ｕ（３）］上にｌｅｎｇｔｈ−３の３つのＯＣＣが適用されることができるが、ＣＤＭされる２個のＵＥに実際に割り当てるＯＣＣリソースにはこれらのうち所定の２つのみが適用される。
【０３０５】
この方法は、ＵＵＵＲＵＵのようにＯＣＣが適用されるＵＣＩシンボル間の時間上の間隔において、前側の３つのＵＣＩシンボル間の間隔が後側の３つのＵＣＩシンボル間の間隔より短い場合に有用である。
【０３０６】
（２）Ｍｅｔｈｏｄ  Ｂ
【０３０７】
各々のＵＥは、Ｕ（１）及びＵ（２）の２つのシンボルに対してＵＣＩを繰り返して伝送して、割り当てられたｌｅｎｇｔｈ−２の時間ドメインＯＣＣを適用し、Ｕ（３）、Ｕ（４）及びＵ（５）の３つのシンボルに対してＵＣＩを繰り返して伝送した後、割り当てられたｌｅｎｇｔｈ−３の時間ドメインＯＣＣを適用して伝送することができる。この時、［Ｕ（３）、Ｕ（４）、Ｕ（５）］上にｌｅｎｇｔｈ−３の３つのＯＣＣが適用されることができるが、ＣＤＭされる２個のＵＥに実際に割り当てるＯＣＣリソースにはこれらのうち所定の２つのみが適用される。
【０３０８】
この方法は、ＵＵＲＵＵＵのようにＯＣＣが適用されるＵＣＩシンボル間の時間上の間隔において、後側の３つのＵＣＩシンボル間の間隔が前側の３つのＵＣＩシンボル間の間隔より短い場合に有用である。
【０３０９】
その後、周波数ホップ当たりのＵＣＩが６つのシンボルである場合について詳しく説明する。上述した３．１．４．又は３．１．５．でのように、ＵＣＩが６つのシンボルである場合のＤＭ−ＲＳとＵＣＩシンボルの間の構成は、ＵＵＵＲＵＵＵのように構成できる。６つのＵＣＩシンボルを各々時間順にインデクシングしたことがＵ（１）Ｕ（２）Ｕ（３）Ｕ（４）Ｕ（５）Ｕ（６）のようになると、以下の４つの方法のうちいずれかを適用できる。
【０３１０】
１）Ｍｅｔｈｏｄ  １
【０３１１】
各々のＵＥは、Ｕ（１）、Ｕ（２）及びＵ（３）の３つのシンボルに対してＵＣＩを繰り返して伝送して、割り当てられたｌｅｎｇｔｈ−３の時間ドメインＯＣＣを適用し、Ｕ（３）、Ｕ（４）及びＵ（５）の３つのシンボルに対してＵＣＩを繰り返して伝送した後、割り当てられたｌｅｎｇｔｈ−３の時間ドメインＯＣＣを適用して伝送することができる。この時、［Ｕ（１）、Ｕ（２）、Ｕ（３）］及び［Ｕ（４）、Ｕ（５）、Ｕ（６）］上にｌｅｎｇｔｈ−３の３つのＯＣＣが適用されることができるが、ＣＤＭされる２個のＵＥに実際に割り当てるＯＣＣリソースにはこれらのうち所定の２つのみが適用される。又は、ｌｅｎｇｔｈ−３の３つのＯＣＣを全部適用することにより、最大３個のＵＥにＣＤＭがサポートされる。
【０３１２】
２）Ｍｅｔｈｏｄ  ２
【０３１３】
各々のＵＥは、Ｕ（１）、Ｕ（２）及びＵ（３）の３つのシンボルにかけて伝送したＵＣＩを、Ｕ（４）、Ｕ（５）及びＵ（６）の３つのシンボルにかけて繰り返して伝送し、ｌｅｎｇｔｈ−２の時間ドメインＯＣＣを適用して伝送することができる。一例として、該当ＰＵＣＣＨにＣＤＭされる２つのＵＥをＵＥ＃１、ＵＥ＃２と定義した時、ＵＥ＃１にＯＣＣ［＋１、＋１］が割り当てられ、ＵＥ＃２にＯＣＣ［＋１、−１］が割り当てられる。この時、ＵＥ＃２は、Ｕ（１）Ｕ（２）Ｕ（３）とＵ（４）Ｕ（５）Ｕ（６）に対してＵＣＩを繰り返して伝送し、割り当てられた時間ドメインカバーコードである［＋１、−１］を適用して［＋１、＋１、＋１、−１、−１、−１］をシンボルごとに乗じて伝送することができる。
【０３１４】
３）Ｍｅｔｈｏｄ  ３
【０３１５】
各々のＵＥは、Ｕ（１）、Ｕ（２）の２つのシンボルに対してＵＣＩを繰り返して伝送して、割り当てられたｌｅｎｇｔｈ−２時間ドメインＯＣＣを適用し、Ｕ（３）、Ｕ（４）の２つのシンボルに対してＵＣＩを繰り返して伝送して、割り当てられたｌｅｎｇｔｈ−２時間ドメインＯＣＣを適用し、Ｕ（５）、Ｕ（６）の２つのシンボルに対してＵＣＩを繰り返して伝送して、割り当てられたｌｅｎｇｔｈ−２時間ドメインＯＣＣを適用して伝送する。
【０３１６】
４）Ｍｅｔｈｏｄ  ４
【０３１７】
上述したＭｅｔｈｏｄ  ３と類似するが、同一のＵＣＩを伝送するシンボルペア（ｓｙｍｂｏｌ−ｐａｉｒ）が異なる。具体的には、各々のＵＥは、Ｕ（１）、Ｕ（４）の２つのシンボルに対してＵＣＩを繰り返して伝送して、割り当てられたｌｅｎｇｔｈ−２時間ドメインＯＣＣを適用し、Ｕ（２）、Ｕ（５）の２つのシンボルに対してＵＣＩを繰り返して伝送して、割り当てられたｌｅｎｇｔｈ−２時間ドメインＯＣＣを適用し、Ｕ（３）、Ｕ（６）の２つのシンボルに対してＵＣＩを繰り返して伝送して、割り当てられたｌｅｎｇｔｈ−２時間ドメインＯＣＣを適用して伝送する。
【０３１８】
上述したように常に最大２個の多重化容量を提供する場合、ＤＭ−ＲＳに適用するＣＳ値としては｛０，６｝のうちいずれか１つのみが適用される。
【０３１９】
周波数ホッピングが行われる場合、各々のホップごとにＵＣＩシンボルの数が異なると、各々のホップごとのＵＣＩシンボルの数によって上記に提案した方法が各々適用される。また周波数ホッピングが行われない場合は、７つ以下のシンボルのｌｏｎｇ  ＰＵＣＣＨに対しては、該当スロット内で該当ＰＵＣＣＨのうちＵＣＩシンボルの数による方法が適用され、７つを超えるシンボルのｌｏｎｇ  ＰＵＣＣＨに対しては、同じ長さのＰＵＣＣＨのホッピングが行われる時と同様の方法でＵＣＩ及びＯＣＣの伝送方法が適用される。
【０３２０】
３．２．８．  第８の多重化方法
【０３２１】
１つのスロットで伝送される相対的に長いＰＵＣＣＨ（ｌｏｎｇ  ＰＵＣＣＨ）は、最小４つのシンボルから最大１４個のシンボルの区間の間に構成される。ｌｏｎｇ  ＰＵＣＣＨが非常に小さいＵＣＩペイロードを伝送する場合、ｌｏｎｇ  ＰＵＣＣＨ内のＤＭＲＳシンボルとデータシンボルはＴＤＭされることができる。この時、データシンボルはシーケンスと変調されたシンボル（例えば、ＢＰＳＫ或いはＱＰＳＫ）が乗じられた形態（即ち、ｓｅｑｕｅｎｃｅ  Ｍｏｄｕｌａｔｉｏｎ）で伝送される。
【０３２２】
この時、ＤＭＲＳシンボルとデータシンボルは時間軸でインタレース（ｉｎｔｅｒｌａｃｅ）される構造を有する。一例として、シンボルインデックスが０から始まる時、ＤＭＲＳシンボルは偶数シンボルインデックス、データシンボルは奇数シンボルインデックスで伝送される。具体的には、４つのシンボルのＰＵＣＣＨはＲＳ／ｄａｔａ／ＲＳ／ｄａｔａのように構成され、５つのシンボルのＰＵＣＣＨはＲＳ／ｄａｔａ／ＲＳ／ｄａｔａ／ＲＳのように構成される。
【０３２３】
これらの構成において、同じ時間／周波数リソースがＵＥ間でＣＤＭされることが許容され、ＣＤＭはＵＥ間のシーケンスのＣＳ（ｃｙｃｌｉｃ  ｓｈｉｆｔ）及び時間ドメインＯＣＣの組み合わせによりサポートされる。一例として、以下の表に示すように、ｌｏｎｇ  ＰＵＣＣＨを構成するシンボルの数又は長さＮ値及び周波数ホッピングの有無によって、ＣＤＭされる最大のＵＥの数が設定される。
【０３２４】
【表１５】
2019528597.tif 000023
【０３２５】
基本的に周波数軸のリソースが１ＲＢ（即ち、１２ＲＥｓ  ｏｒ  １２ｓｕｂ−ｃａｒｒｉｅｒｓ）であると仮定した時、ＣＳのみでサポート可能な最大のＵＥ多重化容量は１２個であり、使用可能なＯＣＣの数が増加するに従って最大のＵＥ多重化容量が増加する。
【０３２６】
一例として、表１５において４つのシンボルで構成されたｌｏｎｇ  ＰＵＣＣＨの場合、ホッピングが行われると、各々のホップ当たりのＲＳ、ｄａｔａは各々１シンボルだけである。この場合、時間ドメインＯＣＣ無しにＣＳのみで最大１２個のＣＤＭ容量をサポートすることができる。
【０３２７】
他の例として、表１５において８つのシンボルで構成されたｌｏｎｇ  ＰＵＣＣＨの場合、ホッピングが行われると、各々のホップ当たりのＲＳ、ｄａｔａは各々２シンボルである。この場合、ｌｅｎｇｔｈ−２時間ドメイン２つとＣＳとの組み合わせで最大１２個のＣＤＭ容量をサポートすることができる。
【０３２８】
又は、所定のシンボルの数で構成されるｌｏｎｇ  ＰＵＣＣＨの場合、ＯＣＣとＣＳの組み合わせを構成するにおいて、ＤＭＲＳ／ｄａｔａによって異なるＯＣＣ／ＣＳの数が許容される。
【０３２９】
７つのシンボルで構成されたｌｏｎｇ  ＰＵＣＣＨの場合、ホッピングが行われると、（上述した３．２．６．でのように）一方のホップはＤＭＲＳ２つのシンボル／ＲＳ１つのシンボルで構成され、他方のホップはＤＭＲＳ２つのシンボル／ＲＳ２つのシンボルで構成される。この時、２シンボルが存在するＤＭＲＳ及びＲＳに対してはｌｅｎｇｔｈ−２  ＯＣＣ２つ／ＣＳ６つを活用し、１つのシンボルが存在するＲＳに対してはＯＣＣ無しに１２個のＣＳを活用することにより、最大１２個のＣＤＭ容量をサポートすることができる。
【０３３０】
同様に、１１個のシンボルで構成されたｌｏｎｇ  ＰＵＣＣＨの場合、ホッピングが行われると、（上述した３．２．６．でのように）一方のホップはＤＭＲＳ３つのシンボル／ＲＳ２つのシンボルで構成され、他方のホップはＤＭＲＳ３つのシンボル／ＲＳ３つのシンボルで構成される。この時、３つのシンボルが存在するＤＭＲＳ及びＲＳに対してはｌｅｎｇｔｈ−３  ＯＣＣ３つ／ＣＳ８つを活用し、２つのシンボルが存在するＲＳに対してはｌｅｎｇｔｈ−３  ＯＣＣ２つ／ＣＳ１２個を活用することにより、最大２４個のＣＤＭ容量をサポートすることができる。
【０３３１】
周波数ホッピングを行わない場合、Ｎ＝４／５／６／７であれば、周波数ホッピングを行うｌｏｎｇ  ＰＵＣＣＨとの多重化を考慮する必要がある。
【０３３２】
これにより、Ｎ＝４  ｗ／ｏ  ｈｏｐｐｉｎｇは、Ｎ＝８  ｗ／  ｈｏｐｐｉｎｇの各々のホップが４つのシンボルである時と同様の構造を有することにより、両方のＰＵＣＣＨ間の多重化を容易にすることができる。
【０３３３】
従って、Ｎ＝４／５  ｗ／ｏ  ｈｏｐｐｉｎｇの場合の最大のＵＥ多重化容量の値は、Ｎ＝８／９／１０／１１  ｗ／ｏ  ｈｏｐｐｉｎｇの場合と同一に、Ｎ＝６／７  ｗ／ｏ  ｈｏｐｐｉｎｇの場合の最大のＵＥ多重化容量の値は、Ｎ＝１２／１３／１４  ｗ／  ｈｏｐｐｉｎｇの場合と同一に設定することが好ましい。
【０３３４】
さらに、Ｎ＝８／９／１０／１１／１２／１３／１４  ｗ／ｏ  ｈｏｐｐｉｎｇの場合、同一のＮ値が適用されるホッピングが行われる場合と同一の‘最大のＵＥ多重化容量’値を有するように設定される。これは、Ｎ＝８  ｗ／ｏ  ｈｏｐｐｉｎｇの場合、もしｌｅｎｇｔｈ−４時間ドメインＯＣＣを活用して最大のＵＥ多重化容量値が４８である場合、Ｎ＝４  ｗ／ｏ  ｈｏｐｐｉｎｇ又はＮ＝８  ｗ／ｏ  ｈｏｐｐｉｎｇの場合と多重化が不可能であり、遅延拡散（ｄｅｌａｙ  ｓｐｒｅａｄ）が大きいチャネル環境においてＯＣＣの直交性（ｏｒｔｈｏｇｏｎａｌｉｔｙ）を維持し難い短所があるためである。
【０３３５】
また、ホッピングを行う他のｌｏｎｇ  ＰＵＣＣＨとの多重化及びＯＣＣの直交性維持のために、ｗ／ｏ  ｈｏｐｐｉｎｇの場合のＯＣＣ構造を同じシンボルの数のｗ／ｏ  ｈｏｐｐｉｎｇの場合のＯＣＣ構造と同様に構成する場合、ｗ／ｏ  ｈｏｐｐｉｎｇの時に同じＯＣＣが適用されないｄａｔａグループの間には互いに異なるＵＣＩ情報が伝送されることができる（Ｍｅｔｈｏｄ  Ａ）。
【０３３６】
一例として、表１５のように、Ｎ＝８  ｗ／  ｈｏｐｐｉｎｇの場合とＮ＝８  ｗ／ｏ  ｈｏｐｐｉｎｇの場合のＯＣＣ構造を同一に構成することができる。この時、Ｎ＝８  ｗ／ｏ  ｈｏｐｐｉｎｇの場合、前側４つのシンボルで構成された一方のシンボルグループのうち、２つのｄａｔａシンボルに伝送されるＵＣＩをＰ１とし、後側４つのシンボルで構成された他方のシンボルグループのうち、２つのｄａｔａシンボルに伝送されるＵＣＩをＰ２と定義した時、Ｐ１とＰ２は互いに異なることができる。また該当ｌｏｎｇ  ＰＵＣＣＨ  ｆｏｒｍａｔは、最大４ｂｉｔｓのＵＣＩ（又はＨＡＲＱ−ＡＣＫ）ペイロードを伝送することができる。
【０３３７】
また、副搬送波間隔（ＳｕｂＣａｒｒｉｅｒ  Ｓｐａｃｉｎｇ、以下ＳＣＳ）が非常に大きいと、それに相応するシンボルの長さが小さくなる。この場合、１４個のシンボルで構成されたｌｏｎｇ  ＰＵＣＣＨにおいてホッピングが行われなくても時間ドメインＯＣＣの直交性を維持することができる。
【０３３８】
従って、ＳＣＳがＳ  ｋＨｚ（例えば、Ｓ＝３０ｋＨｚ或いは６０ｋＨｚ）以上の値に設定された場合、表１６のように、Ｎ＝８／９／１０／１１／１２／１３／１４  ｗ／ｏ  ｈｏｐｐｉｎｇの場合、ｆｌｏｏｒ｛Ｎ／２｝個の時間ドメインＯＣＣが活用される。一例として、Ｎ＝８  ｗ／ｏ  ｈｏｐｐｉｎｇの場合、ＤＭＲＳとｄａｔａに対して各々ｌｅｎｇｔｈ−４  ＯＣＣ４つとＣＳの組み合わせが適用されることにより、最大４８個のＣＤＭ容量をサポートすることができる。
【０３３９】
【表１６】
2019528597.tif 000024
【０３４０】
逆に、ＳＣＳがＳ  ｋＨｚ未満であると、表１５のように、Ｎ＝８／９／１０／１１／１２／１３／１４  ｗ／ｏ  ｈｏｐｐｉｎｇの場合にはｈｏｐｐｉｎｇを行う場合と同一の‘最大のＵＥ多重化容量’値を有するように設定される。この場合、さらに上述したＭｅｔｈｏｄ  Ａが適用されることができる。これにより、ｗ／ｏ  ｈｏｐｐｉｇの時に同じＯＣＣが適用されないｄａｔａグループの間には異なるＵＣＩ情報が伝送される。
【０３４１】
３．３．ｌｏｎｇ  ＰＵＣＣＨに対する追加適用可能な構成
【０３４２】
３．３．１．  第１の方法
【０３４３】
ここでは、様々なシンボルの数を有するｌｏｎｇ  ＰＵＣＣＨのリソース割り当て方法について詳しく説明する。
【０３４４】
本発明が適用可能なＮＲシステムにおいて、基地局はＰＵＣＣＨのリソース割り当てのために、ＬＴＥのＡＲＩ（ＡＣＫ  ｒｅｓｏｕｒｃｅ  ｉｎｄｉｃａｔｏｒ）方式と同様に上位層（例えば、ＲＲＣ）のシグナリングによってＰＵＣＣＨリソースの候補セットが予め設定され、ＤＣＩを通じてこれら候補のうち１つのＰＵＣＣＨリソースを指示してシグナリングすることができる。
【０３４５】
この時、上述した３．１．４．でのｌｏｎｇ  ＰＵＣＣＨ  ｔｙｐｅ（即ち、ｌｏｎｇ  ＰＵＣＣＨを構成するシンボルの数）によって異なるＡＲＩリソースセットが設定されて割り当てられたｌｏｎｇ  ＰＵＣＣＨのシンボルの数によって、ＤＣＩを通じて指示されるＰＵＣＣＨのリソースが異なるように解釈される。
【０３４６】
又は、有効なＰＵＣＣＨリソースについてのみインデクシングを行うことができる。一例として、ｌｏｎｇ  ＰＵＣＣＨを構成するシンボルの数がＮ個である時、ＰＲＢ当たりのリソースインデックスの数（一例として、ＯＣＣとＣＳの組み合わせで決定されるｒｅｓｏｕｒｃｅの数）は５つであり、ｌｏｎｇ  ＰＵＣＣＨを構成するシンボルの数がＮ´個（Ｎ´＜Ｎ）である時、ＰＲＢ当たりのリソースインデックスの数は３つであると仮定する。（Ｔｉｍｅ  ｄｏｍａｉｎ  ＯＣＣを適用する場合、シンボルの数が小さくなると、ＯＣＣの長さも短くなってＰＲＢ当たりの利用可能なＰＵＣＣＨ  ｒｅｓｏｕｒｃｅの数が減少するので）ＰＵＣＣＨ  ｒｅｓｏｕｒｃｅ  ｉｎｄｅｘ＃９がＰＵＣＣＨリソース候補のうちの１つに設定された時、実際に割り当てられたｌｏｎｇ  ＰＵＣＣＨがＮシンボルで構成されると、ＰＵＣＣＨ  ｒｅｓｏｕｒｃｅ  ｉｎｄｅｘ＃９は２番目のＰＲＢ内の４番目のＰＵＣＣＨインデックスを示すことができる。又は、実際に割り当てられたｌｏｎｇ  ＰＵＣＣＨがＮ´シンボルで構成されると、ＰＵＣＣＨ  ｒｅｓｏｕｒｃｅ  ｉｎｄｅｘ＃９は３番目のＰＲＢ内の３番目のＰＵＣＣＨインデックスを示すことができる。
【０３４７】
３．３．２．  第２の方法
【０３４８】
図２０はＰＵＣＣＨとＰＵＳＣＨの伝送方法を示す図である。
【０３４９】
図２０にはＰＵＣＣＨとＰＵＳＣＨの間に割り当てられた時間領域リソースが一致しない場合が示されている。この時、端末は以下のようにＰＵＣＣＨ及びＰＵＳＣＨを伝送する。
【０３５０】
一例として、基地局は最大ＰＤＣＣＨのシンボルの数及びＤＬ／ＵＬギャップを考慮してＰＵＣＣＨの開始シンボルを予め設定した後、実際のＰＤＣＣＨのシンボルの数によってスケジューリングされたＰＵＳＣＨの開始シンボルの位置はＰＵＣＣＨの開始シンボルの位置に比べて先行することができる。この場合、端末はＰＵＣＣＨの一部のシンボルをさらに伝送する。
【０３５１】
より具体的には、端末は図２０のｓｌｏｔ＃ｎ上のｓｙｍｂｏｌ＃３及びｓｙｍｂｏｌ＃４のＰＵＣＣＨの周波数リソースでＰＵＣＣＨの一部のシンボル上に伝送された信号をさらに伝送することができる。特に、端末は（ＯＣＣ無しに）ＲＳをｓｙｍｂｏｌ＃ｎ上のｓｙｍｂｏｌ＃３及びｓｙｍｂｏｌ＃４でさらに伝送することができる。
【０３５２】
又は、基地局がＰＵＳＣＨをスケジューリングするにおいて、基地局は該当端末にＰＵＣＣＨに割り当てられたＲＢを含んでスケジューリングすることができる。この時、端末はＰＵＣＣＨと重畳しない部分に対してＵＬ−ＳＣＨをレートマッチングして伝送する。
【０３５３】
上述したように、本発明では端末と基地局の間に送受信するＰＵＣＣＨの様々な構造及びそれに基づくＰＵＣＣＨの送受信方法について説明する。この時、提示された様々な実施例では、端末／基地局の実現問題などによって様々に選択／適用できる。一例として、表７及び表８に示された様々な構成は実施例によって多様に変更して適用できる。以下、一例に基づく端末と基地局の間の物理上りリンク制御チャネルの送受信方法について詳しく説明する。
【０３５４】
図２１は本発明の一例による端末と基地局の間の物理上りリンク制御チャネルを送受信する構成を示す図である。
【０３５５】
まず、基地局は端末に対して４つ以上のシンボルで構成されたＰＵＣＣＨ（即ち、ｌｏｎｇ  ＰＵＣＣＨ）に対する周波数ホッピングの有無を設定する（Ｓ２１１０）。この時、設定動作はＲＲＣシグナリング又はＤＣＩなどにより行われる。
【０３５６】
この時、端末はｌｏｎｇ  ＰＵＣＣＨのシンボルの長さ及び周波数ホッピングの有無によってＰＵＣＣＨに含まれ、互いに異なるシンボルでＴＤＭされるＤＭ−ＲＳ及びＵＣＩのリソース位置を決定する（Ｓ２１２０）。その後、端末は、決定されたＤＭ−ＲＳ及びＵＣＩのリソース位置を通じてＰＵＣＣＨを伝送する（Ｓ２１３０）。
【０３５７】
この時、上記表７及び表８の様々な構成によれば、ＰＵＣＣＨのシンボルの長さによってＤＭ−ＲＳ及びＵＣＩがマッピングされるリソース位置が、周波数ホッピングの有無によって異なるように又は周波数ホッピングの有無に関係なく同一に設定される。
【０３５８】
一例として、ｌｏｎｇ  ＰＵＣＣＨのシンボルの長さが４つのシンボルの長さであると、ｌｏｎｇ  ＰＵＣＣＨ内に含まれたＤＭ−ＲＳ及びＵＣＩがマッピングされるリソース位置は周波数ホッピングの有無によって異なるように設定される。反面、ｌｏｎｇ  ＰＵＣＣＨのシンボルの長さが４つのシンボルの長さを超えると、ｌｏｎｇ  ＰＵＣＣＨ内に含まれたＤＭ−ＲＳ及びＵＣＩがマッピングされるリソース位置は周波数ホッピングの有無に関係なく同一に設定される。
【０３５９】
特に、ｌｏｎｇ  ＰＵＣＣＨのシンボルの長さが４つのシンボルの長さである場合、ｌｏｎｇ  ＰＵＣＣＨ内のＤＭ−ＲＳがマッピングされるシンボルの数は、周波数ホッピングの有無によって異なるように設定される。一例として、周波数ホッピングが設定されると、ｌｏｎｇ  ＰＵＣＣＨ内のＤＭ−ＲＳのリソース位置は１番目及び３番目のシンボルに決定され、周波数ホッピングが設定されないと、ｌｏｎｇ  ＰＵＣＣＨ内のＤＭ−ＲＳのリソース位置は２番目のシンボルに決定される。
【０３６０】
他の例として、ｌｏｎｇ  ＰＵＣＣＨのシンボルの長さが４つのシンボルの長さを超える場合、周波数ホッピングの有無に関係なくｌｏｎｇ  ＰＵＣＣＨ内のＤＭ−ＲＳは２つのシンボルにマッチングされる。この時、ＤＭ−ＲＳがマッピングされるシンボルの位置はｌｏｎｇ  ＰＵＣＣＨのシンボルの長さによって以下のように決定される。
【０３６１】
−ｌｏｎｇ  ＰＵＣＣＨのシンボルの長さが５つのシンボルの長さである場合、周波数ホッピングの有無に関係なくｌｏｎｇ  ＰＵＣＣＨ内のＤＭ−ＲＳは１番目及び４番目のシンボルにマッピングされる（表７及び表８において、ホッピングの有無に関係なくＰＲＵ＿２（１番目のシンボル）＋ＰＲＵ＿３（２番目のシンボル）の組み合わせが適用される）。
【０３６２】
−ｌｏｎｇ  ＰＵＣＣＨのシンボルの長さが６つ又は７つのシンボルの長さである場合、周波数ホッピングの有無に関係なくｌｏｎｇ  ＰＵＣＣＨ内のＤＭ−ＲＳは２番目及び５番目のシンボルにマッピングされる（表７及び表８において、ホッピングの有無に関係なくＰＲＵ＿３（２番目のシンボル）＋ＰＲＵ＿３（２番目のシンボル）の組み合わせ、又はＰＲＵ＿３（２番目のシンボル）＋ＰＲＵ＿４ａ（２番目のシンボル）の組み合わせが適用される）。
【０３６３】
−ｌｏｎｇ  ＰＵＣＣＨのシンボルの長さが８つのシンボルの長さである場合、周波数ホッピングの有無に関係なくｌｏｎｇ  ＰＵＣＣＨ内のＤＭ−ＲＳのリソース位置は２番目及び６番目のシンボルにマッピングされる（表７及び表８において、ホッピングの有無に関係なくＰＲＵ＿４ａ（２番目のシンボル）＋ＰＲＵ＿４ａ（２番目のシンボル）の組み合わせが適用される）。
【０３６４】
−ｌｏｎｇ  ＰＵＣＣＨのシンボルの長さが９つのシンボルの長さである場合、周波数ホッピングの有無に関係なくｌｏｎｇ  ＰＵＣＣＨ内のＤＭ−ＲＳのリソース位置は２番目及び７番目のシンボルにマッピングされる（表７及び表８において、ホッピングの有無に関係なくＰＲＵ＿４ａ（２番目のシンボル）＋ＰＲＵ＿５ａ（３番目のシンボル）の組み合わせが適用される）。
【０３６５】
−ｌｏｎｇ  ＰＵＣＣＨのシンボルの長さが１０個のシンボルの長さである場合、周波数ホッピングの有無に関係なくＰＵＣＣＨ内のＤＭ−ＲＳのリソース位置は３番目及び８番目のシンボルにマッピングされるか、或いは周波数ホッピングの有無に関係なくＰＵＣＣＨ内のＤＭ−ＲＳのリソース位置は２番目、４番目、７番目及び９番目のシンボルにマッピングされる（表７及び表８において、ホッピングの有無に関係なくＰＲＵ＿５ａ（３番目のシンボル）＋ＰＲＵ＿５ａ（３番目のシンボル）の組み合わせ、又はＰＲＵ＿５ｂ（２／４番目のシンボル）＋ＰＲＵ＿５ｂ（２／４番目のシンボル）の組み合わせが適用される）。
【０３６６】
−ｌｏｎｇ  ＰＵＣＣＨのシンボルの長さが１１個のシンボルの長さである場合、周波数ホッピングの有無に関係なくＰＵＣＣＨ内のＤＭ−ＲＳのリソース位置は３番目及び８番目のシンボルにマッピングされるか、或いは周波数ホッピングの有無に関係なくＰＵＣＣＨ内のＤＭ−ＲＳのリソース位置は２番目、４番目、７番目及び３番目、１０番目のシンボルにマッピングされる（表７及び表８において、ホッピングの有無に関係なくＰＲＵ＿５ａ（３番目のシンボル）＋ＰＲＵ＿６ａ（３番目のシンボル）の組み合わせ、又はＰＲＵ＿５ｂ（２／４番目のシンボル）＋ＰＲＵ＿６ｂ（２／５番目のシンボル）の組み合わせが適用される）。
【０３６７】
−ｌｏｎｇ  ＰＵＣＣＨのシンボルの長さが１２個のシンボルの長さである場合、周波数ホッピングの有無に関係なくＰＵＣＣＨ内のＤＭ−ＲＳのリソース位置は３番目及び９番目のシンボルにマッピングされるか、或いは周波数ホッピングの有無に関係なくＰＵＣＣＨ内のＤＭ−ＲＳのリソース位置は２番目、５番目、８番目及び１１番目のシンボルにマッピングされる（表７及び表８において、ホッピングの有無に関係なくＰＲＵ＿６ａ（３番目のシンボル）＋ＰＲＵ＿６ａ（３番目のシンボル）の組み合わせ、又はＰＲＵ＿６ｂ（２／５番目のシンボル）＋ＰＲＵ＿６ｂ（２／５番目のシンボル）の組み合わせが適用される）。
【０３６８】
−ｌｏｎｇ  ＰＵＣＣＨのシンボルの長さが１３個のシンボルの長さである場合、周波数ホッピングの有無に関係なくＰＵＣＣＨ内のＤＭ−ＲＳのリソース位置は３番目及び１０番目のシンボルにマッピングされるか、或いは周波数ホッピングの有無に関係なくＰＵＣＣＨ内のＤＭ−ＲＳのリソース位置は２番目、５番目、８番目及び１２番目のシンボルにマッピングされる（表７及び表８において、ホッピングの有無に関係なくＰＲＵ＿６ａ（３番目のシンボル）＋ＰＲＵ＿７ａ（４番目のシンボル）の組み合わせ、又はＰＲＵ＿６ｂ（２／５番目のシンボル）＋ＰＲＵ＿７ｂ（２／６番目のシンボル）の組み合わせが適用される）。
【０３６９】
−ｌｏｎｇ  ＰＵＣＣＨのシンボルの長さが１４個のシンボルの長さである場合、周波数ホッピングの有無に関係なくＰＵＣＣＨ内のＤＭ−ＲＳのリソース位置は４番目及び１１番目のシンボルにマッピングされるか、或いは周波数ホッピングの有無に関係なくＰＵＣＣＨ内のＤＭ−ＲＳのリソース位置は２番目、６番目、９番目及び１３番目のシンボルにマッピングされる（表７及び表８において、ホッピングの有無に関係なくＰＲＵ＿７ａ（４番目のシンボル）＋ＰＲＵ＿７ａ（４番目のシンボル）の組み合わせ、又はＰＲＵ＿７ｂ（２／６番目のシンボル）＋ＰＲＵ＿７ｂ（２／６番目のシンボル）の組み合わせが適用される）。
【０３７０】
このように構成されたｌｏｎｇ  ＰＵＣＣＨを通じて端末と基地局は上りリンク制御情報を効率的に送受信することができる。
【０３７１】
上述した提案方式に対する一例も本発明の実現方法の１つとして含まれてもよく、一種の提案方式と見なし得ることは明白な事実である。また、上述した提案方式は独立して実現されてもよく、一部の提案方式の組合せ（又は、併合）の形態で実現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０３７２】
４．装置構成
【０３７３】
図２２は提案する実施例を実現できる端末及び基地局の構成を示す図である。図２２に示した端末及び基地局は、上述した端末及び基地局の間の物理上りリンク制御チャネルの送受信方法の実施例を実現するように動作する。
【０３７４】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ：ｅ−Ｎｏｄｅ  Ｂ）１００は、上りリンクでは受信端として動作し、下りリンクでは送信端として動作することができる。
【０３７５】
すなわち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０３７６】
また、端末及び基地局はそれぞれ、上述した本発明の実施例を行うためのプロセッサ（Ｐｒｏｃｅｓｓｏｒ）４０，１４０、及びプロセッサの処理過程を臨時的に又は持続的に記憶できるメモリ５０，１５０を含むことができる。
【０３７７】
このように構成された端末１は、受信器２０を介して、基地局１００から４つのシンボル以上で構成されたＰＵＣＣＨ伝送のための周波数ホッピングの有無に関する設定情報を受信する。その後、端末１は、プロセッサ４０を通じて、ＰＵＣＣＨのシンボルの長さ及び周波数ホッピングの有無によってＰＵＣＣＨに含まれ、互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）のリソース位置を決定する。また端末１は、送信器１０を介して、上記決定されたＤＭ−ＲＳ及びＵＣＩのリソース位置によってＰＵＣＣＨを伝送する。
【０３７８】
これに対応して、基地局１００は、送信器１１０を介して、端末１に４つ以上のシンボルで構成された物理上りリンク制御チャネル（Ｐｈｙｓｉｃａｌ  Ｕｐｌｉｎｋ  Ｃｏｎｔｒｏｌ  ＣＨａｎｎｅｌ；ＰＵＣＣＨ）の伝送のための周波数ホッピングの有無に関する設定情報を伝送する。その後、基地局１００は、受信器１２０を介して、端末１からＰＵＣＣＨのシンボルの長さ及び周波数ホッピングの有無によって互いに異なるシンボルで時間分割多重化（Ｔｉｍｅ  Ｄｉｖｉｓｉｏｎ  Ｍｕｌｔｉｐｌｅｘｉｎｇ；ＴＤＭ）される復調参照信号（Ｄｅｍｏｄｕｌａｔｉｏｎ  Ｒｅｆｅｒｅｎｃｅ  Ｓｉｇｎａｌ；ＤＭ−ＲＳ）及び上りリンク制御情報（Ｕｐｌｉｎｋ  Ｃｏｎｔｒｏｌ  Ｉｎｆｏｒｍａｔｉｏｎ；ＵＣＩ）が含まれたＰＵＣＣＨを受信する。
【０３７９】
この構成において、ＰＵＣＣＨのシンボルの長さがＸ個（但し、Ｘは自然数）のシンボルの長さ以下である場合、ＤＭ−ＲＳ及びＵＣＩがマッピングされるリソース位置は周波数ホッピングの有無によって変わり、ＰＵＣＣＨのシンボルの長さがＸ個（但し、Ｘは自然数）のシンボルの長さを超える場合は、ＤＭ−ＲＳ及びＵＣＩがマッピングされるリソース位置は周波数ホッピングの有無に関係なく同一に設定される。この時、Ｘ値としては４を適用できる。
【０３８０】
端末及び基地局に含まれた送信器及び受信器は、データ送信のためのパケット変復調機能、高速パケットチャネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を有することができる。また、図２２の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含むことができる。
【０３８１】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートＰＣ、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０３８２】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）のいずれにおいても作動し得る端末機のことを指す。
【０３８３】
本発明の実施例は、様々な手段によって実現することができる。例えば、本発明の実施例は、ハードウェア、ファームウェア（ｆｉｒｍｗａｒｅ）、ソフトウェア、又はそれらの結合などによって実現することができる。
【０３８４】
ハードウェアによる実現の場合、本発明の実施例による方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって実現することができる。
【０３８５】
ファームウェアやソフトウェアによる実現の場合、本発明の実施例による方法は、以上で説明した機能又は動作を行うモジュール、プロシージャ又は関数などの形態として実現することができる。例えば、ソフトウェアコードは、メモリ２６８０，２６９０に格納し、プロセッサ２６２０，２６３０によって駆動することができる。上記メモリユニットは上記プロセッサの内部又は外部に設けられて、既に公知である様々な手段によって上記プロセッサとデータをやり取りすることができる。
【０３８６】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０３８７】
本発明の実施例は、様々な無線接続システムに適用することができる。様々な無線接続システムの一例として３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、上記様々な無線接続システムの他、上記様々な無線接続システムを応用した全ての技術分野にも適用することができる。さらに、提案した方法は、超高周波帯域を利用するｍｍＷａｖｅ通信システムにも適用することができる。
【図１】
2019528597.tif 000025
【図２】
2019528597.tif 000026
【図３】
2019528597.tif 000027
【図４】
2019528597.tif 000028
【図５】
2019528597.tif 000029
【図６】
2019528597.tif 000030
【図７】
2019528597.tif 000031
【図８】
2019528597.tif 000032
【図９】
2019528597.tif 000033
【図１０】
2019528597.tif 000034
【図１１】
2019528597.tif 000035
【図１２】
2019528597.tif 000036
【図１３】
2019528597.tif 000037
【図１４】
2019528597.tif 000038
【図１５】
2019528597.tif 000039
【図１６】
2019528597.tif 000040
【図１７】
2019528597.tif 000041
【図１８】
2019528597.tif 000042
【図１９】
2019528597.tif 000043
【図２０】
2019528597.tif 000044
【図２１】
2019528597.tif 000045
【図２２】
2019528597.tif 000046
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
無線通信システムにおいて端末が基地局にＵＣＩ（uplink control information）を伝送する方法であって、
前記ＵＣＩを生成するステップと、
時間ドメインＯＣＣ（orthogonal cover code）を前記ＵＣＩに適用するステップであって、
（ｉ）ＰＵＣＣＨ（physical uplink control channel）のために設定されているスロット内周波数ホッピングに基づいて、前記ＯＣＣは、ホッピング単位内のＰＵＣＣＨシンボルの数に基づく長さで設定され、
（ｉｉ）前記ＰＵＣＣＨのために設定されていないスロット内周波数ホッピングに基づいて、前記ＯＣＣは、時間スロット内のＰＵＣＣＨシンボルの数に基づく長さで設定される、ステップと、
前記ＯＣＣが適用されたＵＣＩを前記ＰＵＣＣＨ経由で伝送するステップであって、前記ＰＵＣＣＨは、少なくとも４つのシンボルで設定される、ステップと、を含む、方法。
【請求項２】
前記ＯＣＣは、直交シーケンスを含み、
前記ＯＣＣの前記長さは、前記直交シーケンス内のシンボルの数である、請求項１に記載の方法。
【請求項３】
前記ＰＵＣＣＨは、前記ＵＣＩと時間分割多重化されたＤＭ−ＲＳ（demodulation reference signal）を含む、請求項２に記載の方法。
【請求項４】
前記ＰＵＣＣＨの前記長さが４シンボルに等しい場合、
前記ＰＵＣＣＨのために設定されている前記スロット内周波数ホッピングに基づいて、前記ＰＵＣＣＨ内の第１ホッピング単位及び第２ホッピング単位は、それぞれ１つのＵＣＩ伝送シンボル及び１つのＤＭ−ＲＳ伝送シンボルを含み、
前記ＰＵＣＣＨのために設定されていない前記スロット内周波数ホッピングに基づいて、前記ＰＵＣＣＨは、２つのＵＣＩ伝送シンボル及び２つのＤＭ−ＲＳ伝送シンボルを含む、請求項３に記載の方法。
【請求項５】
前記ＰＵＣＣＨの前記長さが８シンボルである場合、
前記ＰＵＣＣＨのために設定されている前記スロット内周波数ホッピングに基づいて、前記ＰＵＣＣＨ内の第１ホッピング単位及び第２ホッピング単位は、それぞれ２つのＵＣＩ伝送シンボル及び２つのＤＭ−ＲＳ伝送シンボルを含み、
前記ＰＵＣＣＨのために設定されていない前記スロット内周波数ホッピングに基づいて、前記ＰＵＣＣＨは、４つのＵＣＩ伝送シンボル及び４つのＤＭ−ＲＳ伝送シンボルを含む、請求項３に記載の方法。
【請求項６】
前記ＰＵＣＣＨの前記長さが１２シンボルである場合、
前記ＰＵＣＣＨのために設定されている前記スロット内周波数ホッピングに基づいて、前記ＰＵＣＣＨ内の第１ホッピング単位及び第２ホッピング単位は、それぞれ３つのＵＣＩ伝送シンボル及び３つのＤＭ−ＲＳ伝送シンボルを含み、
前記ＰＵＣＣＨのために設定されていない前記スロット内周波数ホッピングに基づいて、前記ＰＵＣＣＨは、６つのＵＣＩ伝送シンボル及び６つのＤＭ−ＲＳ伝送シンボルを含む、請求項３に記載の方法。
【請求項７】
前記ホッピング単位は、同一の周波数リソースで伝送される時間的に連続なシンボルを含む、請求項１に記載の方法。
【請求項８】
前記スロット内周波数ホッピングが前記ＰＵＣＣＨのために設定されているかどうかに関する設定情報を基地局から受信するステップをさらに含む、請求項１に記載の方法。
【請求項９】
前記ＤＭ−ＲＳ及び前記ＵＣＩは、
（ｉ）前記ＰＵＣＣＨ内のシンボルの数、及び、
（ｉｉ）前記スロット内周波数ホッピングが前記ＰＵＣＣＨのために設定されているかどうか、
に基づいて、前記ＰＵＣＣＨ内の異なるシンボル位置に時間分割多重化される、請求項３に記載の方法。
【請求項１０】
前記ＯＣＣが適用されたＵＣＩを前記ＰＵＣＣＨ経由で伝送するステップは、前記ＰＵＣＣＨ内の異なるシンボル位置に時間分割多重化された前記ＤＭ−ＲＳ及び前記ＵＣＩに基づいて、前記ＰＵＣＣＨを伝送するステップを含む、請求項９に記載の方法。
【請求項１１】
前記ＰＵＣＣＨの前記長さが４シンボルである場合、前記ＤＭ−ＲＳ及びＵＣＩがマッピングされた前記ＰＵＣＣＨ内の前記異なるシンボル位置は、前記スロット内周波数ホッピングが前記ＰＵＣＣＨのために設定されているかどうかに従って変化するように設定され、
前記ＰＵＣＣＨの前記長さが４シンボルより長い場合、前記ＤＭ−ＲＳ及びＵＣＩがマッピングされた前記ＰＵＣＣＨ内の前記異なるシンボル位置は、前記スロット内周波数ホッピングが前記ＰＵＣＣＨのために設定されているかどうかに関係なく設定される、請求項９に記載の方法。
【請求項１２】
無線通信システムにおいて基地局が端末からＵＣＩ（uplink control information）を受信する方法であって、
少なくとも４つのシンボルで設定されるＰＵＣＣＨ（physical uplink control channel）を前記端末から受信するステップと、
時間ドメインＯＣＣ（orthogonal cover code）が適用されている前記ＵＣＩを前記ＰＵＣＣＨから決定するステップであって、
（ｉ）前記ＰＵＣＣＨのために設定されているスロット内周波数ホッピングに基づいて、前記ＯＣＣは、ホッピング単位内のＰＵＣＣＨシンボルの数に基づく長さで設定され、
（ｉｉ）前記ＰＵＣＣＨのために設定されていないスロット内周波数ホッピングに基づいて、前記ＯＣＣは、時間スロット内のＰＵＣＣＨシンボルの数に基づく長さで設定される、ステップと、を含む、方法。
【請求項１３】
無線通信システムにおいて基地局にＵＣＩ（uplink control information）を伝送するように設定された端末であって、
送信部と、
受信部と、
少なくとも１つのプロセッサと、
前記少なくとも１つのプロセッサと動作可能に連結可能な少なくとも１つのコンピュータメモリと、を含み、
前記少なくとも１つのコンピュータメモリは、実行されたときに、前記少なくとも１つのプロセッサに、
前記ＵＣＩを生成するステップと、
時間ドメインＯＣＣ（orthogonal cover code）を前記ＵＣＩに適用するステップであって、
（ｉ）ＰＵＣＣＨ（physical uplink control channel）のために設定されているスロット内周波数ホッピングに基づいて、前記ＯＣＣは、ホッピング単位内のＰＵＣＣＨシンボルの数に基づく長さで設定され、
（ｉｉ）前記ＰＵＣＣＨのために設定されていないスロット内周波数ホッピングに基づいて、前記ＯＣＣは、時間スロット内のＰＵＣＣＨシンボルの数に基づく長さで設定される、ステップと、
前記ＯＣＣが適用されたＵＣＩを前記ＰＵＣＣＨ経由で伝送するステップであって、前記ＰＵＣＣＨは、少なくとも４つのシンボルで設定される、ステップと、
を含む動作を遂行させる命令を格納する、端末。
【請求項１４】
無線通信システムにおいて端末からＵＣＩ（uplink control information）を受信するように設定された基地局であって、
送信部と、
受信部と、
少なくとも１つのプロセッサと、
前記少なくとも１つのプロセッサと動作可能に連結可能な少なくとも１つのコンピュータメモリと、を含み、
前記少なくとも１つのコンピュータメモリは、実行されたときに、前記少なくとも１つのプロセッサに、
少なくとも４つのシンボルで設定されるＰＵＣＣＨ（physical uplink control channel）を前記端末から受信するステップと、
時間ドメインＯＣＣ（orthogonal cover code）が適用された前記ＵＣＩを前記ＰＵＣＣＨから決定するステップであって、
（ｉ）前記ＰＵＣＣＨのために設定されているスロット内周波数ホッピングに基づいて、前記ＯＣＣは、ホッピング単位内のＰＵＣＣＨシンボルの数に基づく長さで設定され、
（ｉｉ）前記ＰＵＣＣＨのために設定されていないスロット内周波数ホッピングに基づいて、前記ＯＣＣは、時間スロット内のＰＵＣＣＨシンボルの数に基づく長さで設定される、ステップと、
を含む動作を遂行させる命令を格納する、基地局。
【国際調査報告】
2019528597.tif 000047
2019528597.tif 000048
2019528597.tif 000049
2019528597.tif 000050